(57)【要約】ノズル装置と水ポンプと熱交換器とサブタンク（６００）とを備える。サブタンク（６００）は、大気開放口（６０３）と、仕切壁（６１４）で分割された入水槽（６１５）と貯溜槽（６１６）とを備える。洗浄水は、入水槽（６１５）の入水口（６０１）から流入し、仕切壁（６１４）を越えて貯溜槽（６１６）に流入し、貯溜槽（６１６）の出水口（６０２）から熱交換器に供給される。これにより、洗浄水に含まれた空気の一部は分離され、大気開放口（６０３）よりサブタンク（６００）外に放出され、空気含有量が低減された洗浄水を熱交換器に供給する。その結果、熱交換器内で発生する気泡を低減して、熱交換器の熱効率と耐久性を向上できる。
2015037199.tif 000002
【特許請求の範囲】
【請求項１】
洗浄水を噴出するノズル装置と、
前記ノズル装置に前記洗浄水を供給する洗浄水供給流路と、
制御部と、を含み、
前記洗浄水供給流路は、
前記ノズル装置に前記洗浄水を送給する水ポンプと、
前記水ポンプの上流側にあって前記洗浄水を加熱する熱交換器と、
前記熱交換器の上流側にあって前記洗浄水供給流路の一部を大気に開放するサブタンクと、を備え、
前記サブタンクは、
上面に配置された大気開放口と、
仕切壁により分割形成された入水槽と、貯溜槽と、
前記入水槽の底部近傍に配置された入水口と、
前記貯溜槽の底部近傍に配置された出水口と、を備え、
前記入水口から前記入水槽に流入した前記洗浄水は、前記仕切壁の上端を越えて前記貯溜槽に流入する構成を有する衛生洗浄装置。
【請求項２】
前記サブタンクは、
前記入水槽の上面開口部と前記大気開放口の間に、前記サブタンクの内壁より突出した障壁を備える請求項１に記載の衛生洗浄装置。
【請求項３】
前記入水槽は、
前記仕切壁と、前記仕切壁に対向する前記サブタンクの内壁より、交互に突出した複数の整流リブを備える請求項１に記載の衛生洗浄装置。
【請求項４】
前記サブタンクは、前記サブタンク内に貯溜した前記洗浄水の水位を検知する水位検知センサを、さらに備え、
前記水位検知センサは、前記サブタンクの内面にコモン電極と水位電極とを備え、
前記制御部は、前記コモン電極と前記水位電極間に直流電流を印加し、電圧の変化により水位を検知する構成とし、
前記コモン電極と、前記水位電極とは異なる面に配置される請求項１に記載の衛生洗浄装置。
【請求項５】
前記コモン電極と、前記水位電極とは対向する面に配置される請求項４に記載の衛生洗浄装置。
【請求項６】
前記サブタンクは、満水状態において、前記サブタンクの天面の一部と、前記サブタンク内に貯溜する前記洗浄水の水面とで形成される前記洗浄水が浸水しない密閉空間を、さらに備え、
前記水位電極は、前記密閉空間を形成する前記天面に配置される請求項４に記載の衛生洗浄装置。
【請求項７】
前記制御部は、前記コモン電極と前記水位電極間に、直流電流の極性を周期的に反転して印加する請求項４に記載の衛生洗浄装置。
【発明の詳細な説明】
【技術分野】
【０００１】
本発明は、人体局部を洗浄する衛生洗浄装置における洗浄水の給水構造に関する。
【背景技術】
【０００２】
従来、この種の洗浄水を瞬間的に加熱する熱交換器を備えた衛生洗浄装置は、熱交換器の上流側に、水道配管に接続される分岐水栓から、ストレーナ、逆止弁、定流量弁、止水電磁弁、流量センサが順に接続されている。熱交換器の下流側には、温度センサ、ポンプ、切替弁、ノズル部が順次接続されている。さらに、分岐水栓からノズル装置まで密閉構造の流路が形成され、特に熱交換器の上流側が完全な密閉構造を有する衛生洗浄装置が開示されている（例えば、特許文献１参照）。【０００３】
以下に、従来の衛生洗浄装置について、図３７を用いて説明する。【０００４】
図３７は、特許文献１に記載された従来の衛生洗浄装置の水回路の構成を示す模式図である。【０００５】
図３７に示すように、従来の衛生洗浄装置は、水回路の最上流に、水道配管１に接続された分岐水栓２が配置されている。分岐水栓の下流には、ストレーナ３、逆止弁４、定流量弁５、止水電磁弁６、流量センサ７、温度センサ８、熱交換器９が順次設置されている。熱交換器９の下流には、温度センサ１０、ポンプ１１、切替弁１２、ノズル部１３が順次設置されている。【０００６】
しかしながら、従来の衛生洗浄装置の構成は、瞬間的に洗浄水を加熱するために、熱交換器に高容量および高温用のヒータを使用している。そのため、洗浄水に含まれる空気が分離してヒータの表面に気泡が発生しやすい。その結果、ヒータの熱が洗浄水に伝達されにくく、熱交換器の熱効率が低下することがある。【０００７】
また、大量に気泡が発生した場合、局所的に沸騰現象が発生して、熱交換器のヒータが部分的に高温になる。これにより、ヒータの損傷や耐久性が低下する。つまり、熱交換器の熱効率の向上および耐久性の確保の観点から未だ改良の余地があった。
【先行技術文献】
【特許文献】
【０００８】
【特許文献１】特開２００５−０７６４１７号公報
【発明の概要】
【０００９】
本発明は、熱交換器に供給される洗浄水に含まれる空気を減少させて、高効率で耐久性の高い熱交換器を有する衛生洗浄装置を提供する。
【００１０】
つまり、本発明の衛生洗浄装置は、洗浄水を噴出するノズル装置と、ノズル装置に洗浄水を供給する洗浄水供給流路と、制御部とを含む。洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクとを備える。サブタンクは、上面に配置された大気開放口と、仕切壁により分割形成された入水槽と、貯溜槽と、入水槽の底部近傍に配置された入水口と、貯溜槽の底部近傍に配置された出水口とを備える。そして、サブタンクの入水口から入水槽に流入した洗浄水は、仕切壁の上端を越えて貯溜槽に流入する構成を有する。
【００１１】
この構成によれば、サブタンクの入水槽の底部近傍の入水口から流入した空気を含む洗浄水は、入水槽内を上昇する間に少なくとも一部の空気が分離される。分離された空気は、大気開放口よりサブタンク外に放出され、洗浄水の空気含有量が低減される。空気の含有量が低減した洗浄水は、仕切壁を越えて貯溜槽に流入する。そして、貯溜槽の底部近傍の出水口からは空気含有量が低減された洗浄水が流出され、熱交換器に供給される。つまり、熱交換器には空気含有量が低減された洗浄水が供給される。これにより、熱交換器内での気泡の発生を低減して、熱交換器の熱効率を向上できる。その結果、熱交換器の損傷の低減と、耐久性の向上が図れる衛生洗浄装置を実現できる。
【図面の簡単な説明】
【００１２】
【図１】図１は、本発明の実施の形態１における衛生洗浄装置を便器に設置した状態の斜視図である。
【図２】図２は、同衛生洗浄装置の本体の前本体ケースを取り外した状態の斜視図である。
【図３】図３は、同衛生洗浄装置の本体の前本体ケースと制御部を取り外した状態の斜視図である。
【図４】図４は、同衛生洗浄装置の操作部上面を示す斜視図である。
【図５】図５は、リモートコントローラの外観を示す斜視図である。
【図６】図６は、同衛生洗浄装置の水回路の構成を示す模式図である。
【図７】図７は、同衛生洗浄装置の水回路の分解状態を示す斜視図である。
【図８】図８は、同衛生洗浄装置の水回路の組立状態を示す斜視図である。
【図９】図９は、サブタンクの外観を示す斜視図である。
【図１０】図１０は、サブタンクの横方向の断面図である。
【図１１】図１１は、サブタンクの前後方向の断面図である。
【図１２】図１２は、熱交換器の外観を示す斜視図である。
【図１３】図１３は、熱交換器の断面図である。
【図１４】図１４は、水ポンプの外観を示す斜視図である。
【図１５】図１５は、水ポンプの断面図である。
【図１６】図１６は、ノズル装置の収納状態の外観を示す斜視図である。
【図１７】図１７は、図１６に示す１７−１７線断面図である。
【図１８】図１８は、ノズル装置の収納状態を示す縦断面図である。
【図１９】図１９は、図１８に示すＢ部の詳細断面図である。
【図２０】図２０は、図１９に示す２０−２０線断面図である。
【図２１】図２１は、ノズル装置の収納状態を示す横断面図である。
【図２２】図２２は、図２１に示すＣ部の詳細断面図である。
【図２３】図２３は、ノズル装置のお尻洗浄状態を示す縦断面図である。
【図２４】図２４は、図２３に示すＤ部の詳細断面図である。
【図２５】図２５は、ノズル装置のビデ洗浄状態を示す縦断面図である。
【図２６】図２６は、図２５に示すＥ部の詳細断面図である。
【図２７】図２７は、ノズル装置のビデ洗浄状態を示す横断面図である。
【図２８】図２８は、図２７に示すＧ部の詳細断面図である。
【図２９】図２９は、便蓋の分解状態を上下反転した状態で示す斜視図である。
【図３０】図３０は、便蓋の組立状態を上下反転した状態で示す斜視図である。
【図３１】図３１は、図３０に示す３１−３１線断面図である。
【図３２】図３２は、図３０に示す３２−３２線断面図である。
【図３３】図３３は、本発明の実施の形態２におけるサブタンクの外観を示す斜視図である。
【図３４】図３４は、同実施の形態におけるサブタンクの横方向の断面図である。
【図３５】図３５は、同実施の形態におけるサブタンクの前後方向の断面図である。
【図３６】図３６は、同実施の形態におけるサブタンクの満水状態における天面部の模式図である。
【図３７】図３７は、従来の衛生洗浄装置の水回路の構成を示す模式図である。
【発明を実施するための形態】
【００１３】
以下、本発明の実施の形態について、図面を参照しながら説明する。なお、この実施の形態によって本発明が限定されるものではない。
【００１４】
（実施の形態１）
＜１＞衛生洗浄装置の全体構成
以下に、本実施の形態１における衛生洗浄装置の全体構成について、図１から図５を用いて説明する。
【００１５】
図１は、本実施の形態１における衛生洗浄装置を便器上に設置した状態の斜視図である。図２は、同衛生洗浄装置の本体の前本体ケースを取り外した状態の斜視図である。図３は、同衛生洗浄装置の本体の前本体ケースと制御部を取り外した状態の斜視図である。図４は、同衛生洗浄装置の操作部上面を示す斜視図である。図５は、リモートコントローラの外観を示す斜視図である。
【００１６】
図１に示すように、本実施の形態の衛生洗浄装置１００は、少なくとも本体２００、便座３００、便蓋３２０、リモートコントローラ４００、人体検知センサ４５０などを主構成要素として構成される。本体２００と便座３００と便蓋３２０は一体で構成され、便器１１０の上面に設置される。
【００１７】
なお、以降では、衛生洗浄装置１００の本体２００の設置側を後方、便座３００の設置側を前方とし、前方に向かって右側を右方、前方に向かって左側を左方として、各構成要素の配置を説明する。
【００１８】
操作部２１０は、本体２００の側部に突出して、一体的に設けられている。便座便蓋回動機構３６０は、本体２００の前部側に設けられ、便座３００および便蓋３２０を開閉自在に駆動する。なお、便座便蓋回動機構３６０は、例えば直流モータと複数のギアで構成され、便座３００と便蓋３２０を個別または同時に開閉する。
【００１９】
そして、図１に示すように、便蓋３２０を開放した場合、便蓋３２０は衛生洗浄装置１００の最後部に位置するように起立する。一方、便蓋３２０を閉成した場合、便座３００の上面を隠す。
【００２０】
便蓋３２０は、例えばＰＰ（ポリプロピレン）やＡＢＳなどの樹脂材料の成型による部材で構成され、二重構造と断熱材による断熱構造を備えている。なお、便蓋３２０の詳細については、後述する。
【００２１】
便座３００は、着座面を加熱する便座ヒータ（図示せず）を内蔵している。便座ヒータは、便座３００の着座面が快適な温度になるように加熱する。
【００２２】
また、着座センサ（図示せず）は、便座３００の回動軸を支持する本体２００内の軸受部分に設置され、便座３００に着座した人体を検知する。着座センサは、例えば重量式のセンサで構成され、便座３００に使用者が着座することによる重量変化でスイッチを開閉させる。これにより、着座センサは、便座３００の着座面に使用者が着座していることを検知する。
【００２３】
また、図２および図３に示すように、本体２００の内部には、サブタンク６００、熱交換器７００、人体の局部を洗浄するノズル装置８００を備える洗浄部５００と、排便時の臭気を脱臭する脱臭装置１２０と、衛生洗浄装置１００の各機能を制御する制御部１３０などが内蔵されている。なお、洗浄部５００の詳細については、後述する。
【００２４】
このとき、洗浄部５００の主構成要素であるノズル装置８００は、本体２００の内部の中央部に設置され、ノズル装置８００の左側に脱臭装置１２０が設置されている。さらに、ノズル装置８００の左側部に、便座３００と便蓋３２０を開閉駆動する便座便蓋回動機構３６０が設置されている。
【００２５】
ノズル装置８００の右側には、前方に洗浄部５００の止水電磁弁５１４、サブタンク６００などが設置されている。ノズル装置８００の後方には、熱交換器７００が設置されている。熱交換器７００の後方には、水ポンプ５１６が設置されている。制御部１３０は、洗浄部５００の上方に設置されている。
【００２６】
また、図４に示すように、操作部２１０には、衛生洗浄装置１００の各機能を操作および設定する複数のスイッチと表示灯２４０が設置されている。操作部２１０の内部には、操作基板（図示せず）が設置されている。操作基板には、複数のタクトスイッチと複数のＬＥＤが設置されている。これにより、操作部２１０の上面に貼付されたスイッチ銘板を介して、タクトスイッチの押圧操作とＬＥＤの視認が可能となっている。
【００２７】
また、操作部２１０は、赤外線受信部２１１を備えている。赤外線受信部２１１は、操作部２１０の上面後方に配置される、図１に示すリモートコントローラ４００および人体検知センサ４５０から送信される赤外線信号を受信する。
【００２８】
操作部２１０のスイッチは、洗浄動作を操作する複数の操作スイッチ２２０と各種機能を設定する複数の設定スイッチ２３０などから構成されている。また、表示灯２４０は、設定状態を表示する複数のＬＥＤから構成されている。
【００２９】
操作部２１０の操作スイッチ２２０は、リモートコントローラ４００の電池切れや故障の場合に補助的に使用するお尻洗浄スイッチ２２１と、ノズルの掃除を行うときに操作するノズル掃除スイッチ２２２から構成されている。
【００３０】
操作部２１０の設定スイッチ２３０は、例えば温水温度スイッチ２３１、便座温度スイッチ２３２、８時間切りスイッチ２３３、節電スイッチ２３４、便蓋自動開閉スイッチ２３５などで構成されている。各スイッチは、押圧操作により、以下に示す動作を行う。つまり、温水温度スイッチ２３１は、洗浄水の温度を設定する。便座温度スイッチ２３２は、便座３００の温度を設定する。８時間切りスイッチ２３３は、設定すると便座３００の保温を停止して８時間後に便座３００の保温を再開する。節電スイッチ２３４は、衛生洗浄装置１００が使用されない時間帯を自動的に学習して、使用されない時間帯に便座３００の保温温度を下げて、節電を行う。便蓋自動開閉スイッチ２３５は、便座３００および便蓋３２０の自動開閉動作を設定する。
【００３１】
なお、衛生洗浄装置１００の多くの操作は、本体２００とは別体で構成されたリモートコントローラ４００で行われる。そのため、リモートコントローラ４００は、便座３００に着座した使用者が操作のしやすいトイレルームの壁面などに取り付けられる。
【００３２】
リモートコントローラ４００の全体形状は、図５に示すように、薄い直方体で形成されている。リモートコントローラ４００は、例えばＰＰやＡＢＳなどの樹脂材料で成型された箱状のリモコン本体４０１の上面と前面に、複数のスイッチと表示灯を備えている。リモコン本体４０１の上部角部近傍には、リモートコントローラ４００の操作信号を本体２００に赤外線で送信する送信部４０２が配置されている。
【００３３】
また、リモコン本体４０１の内部には、リモートコントローラ４００の制御機能を構成する制御基板（図示せず）と、リモートコントローラ４００の電源である電池（図示せず）などが内蔵されている。
【００３４】
リモコン本体４０１の前面中央部には、例えばお尻洗浄スイッチ４１０、ビデ洗浄スイッチ４１１、停止スイッチ４１２、ムーブ洗浄スイッチ４１３、リズム洗浄スイッチ４１４などが配置されている。各スイッチは、押圧操作などにより、以下に示す動作を行う。お尻洗浄スイッチ４１０は、お尻洗浄を開始する。ビデ洗浄スイッチ４１１は、女性の局部洗浄を開始する。停止スイッチ４１２は、お尻洗浄とビデ洗浄を停止する。ムーブ洗浄スイッチ４１３は、お尻洗浄およびビデ洗浄時に洗浄位置を前後に周期的に移動させて広い範囲の洗浄を可能とする。リズム洗浄スイッチ４１４は、お尻洗浄時に洗浄水による洗浄強さを周期的に変化させて洗浄する。
【００３５】
さらに、リモコン本体４０１の前面上部には、例えば洗浄強さスイッチ４１５、洗浄位置スイッチ４１６、ノズル除菌スイッチ４１７などが配置されている。洗浄強さスイッチ４１５は、お尻洗浄およびビデ洗浄時の洗浄強さを２個のスイッチで調節する。洗浄位置スイッチ４１６は、お尻洗浄およびビデ洗浄時の洗浄位置を２個のスイッチで調整する。ノズル除菌スイッチ４１７は、ノズルを、例えば４０℃の温水で約１分間洗浄して除菌する。
【００３６】
洗浄強さスイッチ４１５の上方には、洗浄強さを５段階で表示するＬＥＤの強さ表示灯４２１が配置されている。さらに、洗浄位置スイッチ４１６の上方には、洗浄位置を５段階で表示する位置表示灯４２２が配置されている。
【００３７】
リモコン本体４０１の上面には、便蓋３２０を電動で開閉する便蓋スイッチ４１８と、便座３００を電動で開閉する便座スイッチ４１９が設置されている。そして、各スイッチを操作することにより、使用者が任意に便座３００と便蓋３２０を開閉できるように構成されている。
【００３８】
また、図１に示す人体検知センサ４５０は、本体２００とは別体で構成され、例えばトイレルームの壁面などに取り付けられる。人体検知センサ４５０は、図示しない、例えば焦電センサ、センサ制御部、赤外線送信部、人体検知センサ４５０の電源である電池などで構成されている。焦電センサは、人体から放出される赤外線を受光する。センサ制御部は、焦電センサの信号で人体の検知を判定する。赤外線送信部は、センサ制御部からの人体検知信号を本体２００の制御部に赤外線で送信する。
【００３９】
以上のように、本実施の形態の衛生洗浄装置が構成されている。
【００４０】
＜２＞洗浄部の構成
以下に、本実施の形態における衛生洗浄装置の洗浄部の構成について、図６から図８を用いて説明する。
【００４１】
図６は、同衛生洗浄装置の水回路の構成を示す模式図である。図７は、同衛生洗浄装置の水回路の分解状態を示す斜視図である。図８は、同衛生洗浄装置の水回路の組立状態を示す斜視図である。
【００４２】
なお、図６に示す洗浄部５００は、本体２００に内蔵され、使用者の局部を洗浄する。
【００４３】
図６に示すように、洗浄部５００は、少なくとも洗浄水を噴出するノズル装置８００と、給水接続口５１０からノズル装置８００に洗浄水を供給する一連の洗浄水供給流路９００などから構成されている。
【００４４】
洗浄水供給流路９００には、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６、流調弁５１７が順次設置されている。そして、最終的に、洗浄水供給流路９００は、ノズル装置８００に接続される。
【００４５】
給水接続口５１０は、本体２００の右側下方に配置され、水道配管と接続される。ストレーナ５１１は、給水接続口５１０の内部に配置され、水道水に含まれるごみの流入を防止する。逆止弁５１２は、サブタンク６００内に貯溜された水が水道配管に逆流することを防止する。
【００４６】
定流量弁５１３は、洗浄水供給流路９００に流れる洗浄水の量を一定に保つ。止水電磁弁５１４は、洗浄水供給流路９００を電動で開閉する。そして、定流量弁５１３と止水電磁弁５１４およびリリーフ弁５１５は、図７に示すように、一体に構成されている。
【００４７】
サブタンク６００は、止水電磁弁５１４の下流に設けられ、大気開放口６０３を備えている。熱交換器７００は、洗浄水を瞬時に加熱する。バッファータンク７５０は、熱交換器７００で加熱された温水の温度を均一にする。
【００４８】
水ポンプ５１６は、バッファータンク７５０の下流側に接続されている。ノズル装置８００は、流調弁５１７を介して水ポンプ５１６と接続されている。そして、流調弁５１７のそれぞれのポートには、ノズル装置８００のお尻洗浄部８３１、ビデ洗浄部８３２、ノズルクリーニング部８３３などが接続されている。
【００４９】
また、図７および図８に示すように、洗浄部５００を構成する部材のうち、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６は、例えばＡＢＳなどの樹脂材料で成型されたシャーシ５０１に組み込まれ、一体的に構成されている。そして、シャーシ５０１に組み込まれた状態で、本体２００の後本体ケース２０１に組み付けられている。
【００５０】
ストレーナ５１１と逆止弁５１２は給水接続口５１０に一体に組み込まれ、定流量弁５１３とリリーフ弁５１５は止水電磁弁５１４に一体に組み込まれている。バッファータンク７５０は、熱交換器７００と一体に構成されている。
【００５１】
そして、給水接続口５１０と止水電磁弁５１４、止水電磁弁５１４とサブタンク６００およびサブタンク６００と熱交換器７００とは、接続チューブなどを介さず、相互の接続口をパッキンである、例えばＯリングを介して直接接続されている。また、これらの水回路を構成する部材はシャーシ５０１の所定の位置に設置固定されている。
【００５２】
上記構成を水回路に採用することにより、水密構造が向上するとともに、相互の部材の配置精度が向上する。特に、サブタンク６００と熱交換器７００の配置精度が向上するため、洗浄水の流量の制御精度が向上する。その結果、洗浄部５００の性能の向上と、流量の制御精度が向上する。
【００５３】
つぎに、上述した水ポンプ５１６の構成について、図７を参照しながら、図１４および図１５を用いて説明する。
【００５４】
図１４は、水ポンプの外観を示す斜視図である。図１５は、水ポンプの断面図である。
【００５５】
図１４および図１５に示すように、水ポンプ５１６は、例えば外形が略Ｌ字状（Ｌ字状を含む）の容積形ポンプであるピストンポンプで構成される。具体的には、水ポンプ５１６は、略円筒形（円筒形を含む）のモータ部５１６ａと、モータの回転運動を往復運動に変換するリンク機構部５１６ｂと、リンク機構部５１６ｂの往復運動で駆動されるピストン部５１６ｃで構成されている。そして、ピストン部５１６ｃの外面には、接続口として吸水口５１６ｄと吐出口５１６ｅが設けられている。
【００５６】
なお、本実施の形態の水ポンプ５１６の場合、駆動時において、往復運動を伴うリンク機構部５１６ｂとピストン部５１６ｃに比べ、回転運動のみであるモータ部５１６ａで発生する振動が少ない構成となっている。
【００５７】
具体的な水ポンプ５１６の動作は、まず、モータ部５１６ａを駆動すると、ピストン部５１６ｃが往復運動を開始する。そして、ピストン部５１６ｃの吸水口５１６ｄから洗浄水を吸引して、吐出口５１６ｅから洗浄水を吐出する。このとき、吐出口５１６ｅから吐出する洗浄水は、ピストン部５１６ｃの往復運動に伴い適度の脈動を伴った水流で吐出される。
【００５８】
さらに、上記構成の水ポンプ５１６の略円柱形（円柱形を含む）のモータ部５１６ａの外周は、弾性を備えた発泡樹脂製の緩衝部材（図示せず）で包囲されている。そして、シャーシ５０１の後部に設けられた略円筒形（円筒形を含む）の水ポンプ設置部５０１ａにモータ部５１６ａを挿入することにより、水ポンプ設置部５０１ａでモータ部５１６ａが支持される。このとき、リンク機構部５１６ｂとピストン部５１６ｃは、下方に垂れ下がるように懸架された状態で設置される。
【００５９】
なお、図７に示すように、水ポンプ設置部５０１ａは薄い肉厚で形成され、シャーシ５０１の底面から起立したリブ状の脚部５０１ｂの上部に形成されている。つまり、薄い肉厚で形成することにより、水ポンプ設置部５０１ａを構成する樹脂の弾性により水ポンプ５１６の振動を効果的に吸収することができる。
【００６０】
また、バッファータンク７５０が一体に形成された熱交換器７００の接続口である出湯口７１２と、水ポンプ５１６の接続口である吸水口５１６ｄとは、軟質樹脂製の接続チューブで接続されている。
【００６１】
上述したように、本実施の形態の水ポンプ５１６は、振動の少ないモータ部５１６ａを緩衝部材を介して、シャーシ５０１の薄い肉厚で形成された水ポンプ設置部５０１ａに設置する。一方、振動が多く発生するリンク機構部５１６ｂとピストン部５１６ｃとは、フリーな状態で懸架される。さらに、ピストン部５１６ｃなどは、バッファータンク７５０と軟質樹脂製の接続チューブ５０２（図８参照）を介して接続される。これにより、水ポンプ５１６の駆動時に発生する振動が、シャーシ５０１、他の部材や本体２００に伝わること抑制する。その結果、衛生洗浄装置の快適性と耐久性を向上することができる。
【００６２】
特に、水ポンプ５１６は、発泡樹脂製の緩衝部材と、水ポンプ設置部５０１ａを形成する弾性を備えた樹脂との２つの異なる材質を介して支持される。そのため、広い範囲の周波数の振動を吸収できる。これにより、本体２００への振動の伝達を、さらに効果的に抑制できる。
【００６３】
以下に、本実施の形態の衛生洗浄装置の洗浄部５００の基本的な制御について、図６を参照しながら説明する。
【００６４】
まず、図６に示すように、水道配管を流れる水道水が、洗浄水として給水接続口５１０から供給され、止水電磁弁５１４を開放することによりサブタンク６００へ洗浄水が供給される。このとき、洗浄水供給流路９００内を流れる洗浄水の流量は、定流量弁５１３により一定に維持される。なお、止水電磁弁５１４の駆動は、リモートコントローラ４００および操作部２１０の操作に基づいて、制御部１３０により制御される。
【００６５】
つぎに、サブタンク６００に貯溜された洗浄水は、水ポンプ５１６の駆動により、熱交換器７００に供給される。なお、水ポンプ５１６の駆動は、リモートコントローラ４００および操作部２１０の操作に基づいて、制御部１３０により制御される。
【００６６】
そして、制御部１３０は、水ポンプ５１６を駆動するとともに、熱交換器７００の平板状ヒータ７０２（図１３参照）への通電を開始して、洗浄水の加熱を開始する。このとき、制御部１３０は、入水温度センサ６３０と出湯温度センサ７３０の検知情報に基づいて、平板状ヒータ７０２への通電を制御する。これにより、洗浄水の温度を、操作部２１０の温水温度スイッチ２３１で設定された温度に維持する。
【００６７】
つぎに、熱交換器７００で加熱された洗浄水は、流調弁５１７に供給される。そして、制御部１３０は、操作部２１０およびリモートコントローラ４００の操作情報に基づいて、流調弁５１７を制御する。これにより、ノズル装置８００のお尻洗浄部８３１、ビデ洗浄部８３２、ノズルクリーニング部８３３のいずれかに洗浄水が供給される。その結果、お尻洗浄噴出口８３４、ビデ洗浄噴出口８３６、ノズルクリーニング噴出口８３８のいずれかの噴出口から洗浄水が噴出し、所定の洗浄が行われる。
【００６８】
以上のように、本実施の形態の衛生洗浄装置の洗浄部は制御され、所望の動作を実行する。
【００６９】
＜３＞サブタンクの構成
以下に、本実施の形態における衛生洗浄装置のサブタンクの構成について、図９から図１１を用いて説明する。
【００７０】
図９は、サブタンクの外観を示す斜視図である。図１０は、サブタンクの横方向の断面図である。図１１は、サブタンクの前後方向の断面図である。
【００７１】
まず、図９に示すように、サブタンク６００は、少なくとも、例えばＡＢＳなどの樹脂材料により成型されたタンク本体６１０と、水位検知センサ６２０と、入水温度センサ６３０などから構成されている。水位検知センサ６２０は、タンク本体６１０に貯溜された洗浄水の水位を検知する。入水温度センサ６３０は、例えばサーミスタなどで構成され、タンク本体６１０内に供給される洗浄水の温度を検知する。
【００７２】
タンク本体６１０は、タンクの前壁、両側壁、底面、天面を構成する前部タンク６１１と、タンクの後壁を構成する後部タンク６１２と、タンク本体６１０の天面に配置された大気開放部６１３などの３個の部材で構成されている。タンク本体６１０の全体的な形状は、前壁、後壁、両側壁、底面、天面からなる複数の平面で形成され、図１０に示すように平面視で見た場合の形状は、略四角形（四角形を含む）で形成されている。前部タンク６１１の前壁は、途中から後退する傾斜部を備える。つまり、図１１に示すように側面視で見た場合の形状においては、下部より上部が細くなった略台形形状（台形形状を含む）で形成されている。これにより、タンク本体６１０の上部の断面積が下部より小さい断面積となっている。
【００７３】
また、タンク本体６１０の一方の側壁下部には入水口６０１が、タンク本体６１０後壁下部には出水口６０２が設けられている。
【００７４】
さらに、タンク本体６１０の天面に配置された大気開放部６１３には、タンク本体６１０の内部と外部を連通する大気開放口６０３が設けられている。大気開放口６０３は、タンク本体６１０内に溜まった空気を外部に放出し、タンク本体６１０の内部圧力を、常時、大気圧に維持する。これにより、サブタンク６００の内部が、常時、大気圧に維持され、サブタンク６００の下流から水ポンプ５１６の吸水口５１６ｄまでの洗浄水供給流路９００も大気圧に維持される。そのため、水ポンプ５１６は、水圧変動の影響を受けずに吸水することができる。その結果、水ポンプ５１６は、安定したポンプ機能を発揮できる。
【００７５】
また、図１０に示すように、サブタンク６００内で大気開放部６１３の大気開放口６０３と連通する流路には、流路の断面積が大きいバッファ部６１３ａが形成されている。バッファ部６１３ａは、大気開放口６０３から気泡を伴って洗浄水が衝撃的に流出しようとした場合などに、洗浄水を、一旦貯溜する。これにより、大気開放口６０３から洗浄水が流出することを抑制する。
【００７６】
さらに、タンク本体６１０の内部には、仕切壁６１４が設けられている。仕切壁６１４は、タンク本体６１０の内部を入水槽６１５と貯溜槽６１６の２つの槽に分割している。そして、入水槽６１５の側面の底面近傍には入水口６０１が、貯溜槽６１６の後壁の底面近傍には出水口６０２が設けられている。
【００７７】
つまり、仕切壁６１４で入水槽６１５と貯溜槽６１６を形成することにより、入水口６０１から流入した洗浄水に空気が含まれている場合、空気は、入水槽６１５の上部より大気開放口６０３を通過して外部に放出される。そのため、貯溜槽６１６に空気を含まない洗浄水のみを流入させることができる。
【００７８】
また、タンク本体６１０の入水槽６１５の上方には、入水槽６１５の上面開口部６１５ａと大気開放部６１３の間に介在する障壁６１７が、タンク本体６１０の側壁より略水平方向（水平方向を含む）に突出して設けられている。障壁６１７は、入水槽６１５の上面開口部６１５ａの全面を覆う大きさを備えている。
【００７９】
また、入水槽６１５の内部には、複数の整流リブ６１８が、タンク本体６１０の側壁と仕切壁６１４に略水平方向（水平方向を含む）に交互に突出して形成されている。
【００８０】
以下に、サブタンク６００内の洗浄水の流れについて、説明する。
【００８１】
サブタンク６００の入水口６０１から流入した洗浄水は、まず、入水槽６１５の下部に流入する。そして、整流リブ６１８で流れの方向を変化させながら入水槽６１５内を上昇する。このとき、入水口６０１から流入する洗浄水の圧力が高い場合、あるいは大量の空気を含んで著しく流れが乱れている場合、整流リブ６１８は、流れを適度に整流化する。さらに、整流リブ６１８は、整流リブ６１８の下流側で発生する渦により洗浄水内に含まれる空気を分離する。
【００８２】
また、入水槽６１５内を上昇した空気が分離された洗浄水は、仕切壁６１４の上端を乗り越えて貯溜槽６１６に流入して貯溜される。このとき、入水口６０１から流入する洗浄水の圧力が高い場合、あるいは大量の空気を含んで著しく流れが乱れている場合でも、洗浄水は障壁６１７により上方への流れが抑制される。そのため、洗浄水が、大気開放部６１３に当たり、大気開放口６０３よりサブタンク６００の外部への、直接の流出が防止される。
【００８３】
上述したように、サブタンク６００の入水口６０１から流入した洗浄水は、入水槽６１５内を上昇する間に、整流リブ６１８などにより、洗浄水に含まれる空気が分離される。分離された空気は、大気開放口６０３よりタンク本体６１０外に放出される。これにより、貯溜槽６１６に空気を含まない洗浄水が貯溜され、サブタンク６００の出水口６０２より熱交換器７００に供給される。
【００８４】
なお、サブタンク６００より熱交換器７００に供給される洗浄水に空気が混入していた場合、熱交換器７００の内部で気泡が発生する。これにより、熱交換器７００の内部の温度が異常に上昇して、熱交換器７００が損傷する場合がある。そこで、本実施の形態のサブタンク６００は、内部に仕切壁６１４を設け、空気の混入を防止する。これにより、熱交換器７００の損傷を効果的に防止できる。
【００８５】
また、図１０および図１１に示すように、サブタンク６００は、内部にステンレス材料で形成された、共通の電極となるコモン電極６２１と、水位毎に設置された複数の水位電極６２２で構成される水位検知センサ６２０を備えている。なお、本実施の形態では、１個のコモン電極６２１と２個の水位電極６２２で構成した例で示している。
【００８６】
コモン電極６２１はタンク本体６１０の前壁下部の内面に配置され、水位電極６２２はタンク本体６１０の後壁の内面に配置されている。さらに、水位電極６２２は、上部に設けられた上部電極６２３と、下部に設けられた下部電極６２４で構成されている。このとき、コモン電極６２１は、水位電極６２２の下部電極６２４より低い位置で、かつ通常の使用状態においては、常に浸水した状態で配置されている。
【００８７】
つまり、コモン電極６２１と、水位電極６２２である上部電極６２３および下部電極６２４とを異なる面に設置することにより、タンク本体６１０の内面に付着した残水を、貯溜水として誤検知することを抑制できる。
【００８８】
ここで、水位電極６２２による洗浄水の水位の検知は、つぎのように行う。まず、コモン電極６２１と水位電極６２２との間に直流電流を印加する。そして、水位電極６２２が浸水しているか否かを、電圧の変化により検知する。これにより、洗浄水の水位を検知する。つまり、貯溜槽６１６内の水位が上昇すると、下部電極６２４および上部電極６２３が浸水する。このとき、コモン電極６２１と下部電極６２４および上部電極６２３間の電圧が低下する。これにより、制御部１３０は、電圧の低下から洗浄水の水位を検知する。
【００８９】
また、水位電極６２２の上部電極６２３は上限水位の検知に、下部電極６２４は下限水位の検知に使用される。そして、上部電極６２３は、大気開放口６０３より低い位置に設置されている。これにより、大気開放口６０３から洗浄水が流出することを防止できる。また、下部電極６２４は、熱交換器７００へ通流する出水口６０２より上方に設置されている。これにより、熱交換器７００に空気が流入することを防止できる。
【００９０】
また、制御部１３０は、コモン電極６２１と水位電極６２２との間に印加する直流電流の極性を周期的に反転させながら印加する構成となっている。これは、洗浄水を介してコモン電極６２１と水位電極６２２と間に直流電流を印加した場合に発生する電気分解の作用により、電極を形成する金属の酸化およびイオン化による溶出を防止するためである。つまり、直流電流を印加すると、水位電極６２２が短期間に劣化することがある。そこで、電流の極性を周期的に反転することにより、水位電極６２２の電気分解による劣化を抑制している。
【００９１】
なお、本実施の形態では、極性の反転の間隔は、衛生洗浄装置の電源として供給される交流電源に対応した時間設定としている。つまり、供給される交流電源が５０Ｈｚの場合は１／５０秒、供給される交流電源が６０Ｈｚの場合は１／６０秒としている。これにより、極性を反転するために、新たな制御回路の追加を不要にし、小型化、低コスト化を実現している。
【００９２】
上述したように、本実施の形態の衛生洗浄装置１００は、止水電磁弁５１４が開放されてサブタンク６００に洗浄水が供給される。そして、水位電極６２２で上限水位を検知すると、止水電磁弁５１４を閉止して給水を停止する。このとき、サブタンク６００内は満水状態となる。
【００９３】
さらに、サブタンク６００の満水状態から、通常の洗浄動作を実施すると水位が低下する。そして、水位電極６２２で下限水位が検知されると、止水電磁弁５１４を再び開放してサブタンク６００に洗浄水を供給する。これにより、水位電極６２２で上限水位が検知されるまで給水が継続される。
【００９４】
なお、通常、サブタンク６００に貯溜される洗浄水の最大量は、１００ｃｃである。そこで、本実施の形態のサブタンク６００の上限水位から下限水位までの水量を６５ｃｃに設定している。しかし、これは一例であり、これに限られないことはいうまでもない。
【００９５】
また、通常、洗浄に使用される洗浄水の流量は、最も強い洗浄力で洗浄した場合４５０ｃｃ／ｍｉｎで、最も弱い洗浄力洗浄した場合２６０ｃｃ／ｍｉｎに設定されている。そのため、洗浄水が上限水位から下限水位に到達するまでの時間は、最も強い洗浄力で洗浄した場合８．７秒間で、最も弱い洗浄力で洗浄した場合１５秒間となる。
【００９６】
なお、一般的に、使用者が局部の洗浄に要する時間は、３０秒以上である。そのため、最も弱い洗浄力で洗浄した場合でも１３０ｃｃの洗浄水を使用する。つまり、１回の洗浄動作において、最低１回は上限水位から下限水位への変化を水位電極６２２で検知することが可能となる。
【００９７】
そこで、制御部１３０は、上限水位から下限水位までの経過時間を計測し、計測した時間と上限水位から下限水位までの水量（６５ｃｃ）とを演算する。そして、洗浄水の流量を算出する。このとき、洗浄強さ毎に設定された流量と、算出された流量に差がある場合、制御部１３０は水ポンプ５１６の出力を調整して、洗浄水の流量を補正する。
【００９８】
なお、本実施の形態では、サブタンク６００の底面の形状が略四角形を例に説明したが、これに限られない。例えば、他の多角形状でもよく、周囲の部品との兼ね合いや設置場所の状況に応じて変形してもよい。
【００９９】
また、本実施の形態では、コモン電極６２１と水位電極６２２を対向する壁面である前壁と後壁に設置した例で説明したが、これに限られない。例えば、前壁と側壁などの隣接する壁面など、上記と異なる面に設置してもよい。さらに、コモン電極６２１を前壁に設置し、水位電極６２２を天面に設置してもよい。この場合、下部電極６２４と上部電極６２３の先端を、それぞれ下限水位、上限水位の位置になるように長さを変える。
【０１００】
また、本実施の形態では、水位電極６２２を上部電極６２３と下部電極６２４の２個で構成した例で説明したが、これに限られない。例えば、３個以上の水位電極６２２を配置するなど、水位検知の間隔を細分化して設けてもよい。これにより、水位検知と流量検知の精度をさらに向上できる。
【０１０１】
以上のように、本実施の形態のサブタンクが構成されている。
【０１０２】
＜４＞熱交換器の構成
以下に、本実施の形態における衛生洗浄装置の熱交換器の構成について、図１２および図１３を用いて説明する。
【０１０３】
図１２は、熱交換器の外観を示す斜視図である。図１３は、熱交換器の断面図である。
【０１０４】
なお、本実施の形態の熱交換器７００は、バッファータンク７５０が一体に形成され、熱交換器７００の上部にバッファータンク７５０が設置されている。
【０１０５】
まず、熱交換器７００は、正面視（図１３参照）で略長方形（長方形を含む）の平板状で形成されている。熱交換器７００は、少なくとも、例えばＡＢＳ樹脂にガラス繊維をコンパウンドした強化ＡＢＳ樹脂で成型されたケーシング７０１と、セラミック製の平板状ヒータ７０２と、出湯部材７０３などから構成されている。
【０１０６】
ケーシング７０１は、前面部を構成する前面部材７１０と、背面部を構成する背面部材７２０で構成されている。平板状ヒータ７０２は、前面部材７１０と背面部材７２０との間に形成される空間に設置される。また、加熱流路７１５は、前面部材７１０と平板状ヒータ７０２との対向部と、背面部材７２０と平板状ヒータ７０２との対向部との隙間で形成されている。以上のように構成された熱交換器７００は、加熱流路７１５を流れる洗浄水を平板状ヒータ７０２で瞬時に昇温させる。
【０１０７】
また、熱交換器７００は、前面部材７１０の前面下端の右側に接続口である入水口７１１を備え、前面部材７１０の右側面上端に設置された出湯部材７０３に接続口である出湯口７１２を備えている。
【０１０８】
さらに、図１３に示すように、図１２に示す入水口７１１に連なる入水流路７１３が、ケーシング７０１の下端部の略全幅に亘り設けられている。入水流路７１３の上面には全幅に亘り複数のスリット７１４が設けられ、入水流路７１３に流入した洗浄水がスリット７１４を通過して加熱流路７１５へ流入する構成となっている。なお、スリット７１４は、洗浄水を加熱流路７１５の全幅に亘り均等に流入させる機能を有する。
【０１０９】
また、加熱流路７１５の上端部には仕切リブ７１６が設けられ、仕切リブ７１６より上方がバッファータンク７５０となっている。仕切リブ７１６には、略全幅（全幅を含む）に亘り複数の通水孔７１７が設けられている。これにより、加熱流路７１５で加熱された洗浄水が、通水孔７１７を通過してバッファータンク７５０内に流入する。
【０１１０】
さらに、バッファータンク７５０内には、例えば断面形状が略半円形（半円形を含む）の突起７１８が、略全幅（全幅を含む）に亘り間隔をあけて設けられている。突起７１８は、バッファータンク７５０内を出湯口７１２に向かって流れる洗浄水の流れを乱す。これにより、洗浄水が混ざり合って洗浄水の温度むらが解消され、均一な温度の洗浄水が出湯口７１２より出湯される。
【０１１１】
出湯部材７０３には、出湯温度センサ７３０と、過昇温度センサ７３１の２個のサーミスタが設置されている。出湯温度センサ７３０は、洗浄水の出湯温度を検知する。過昇温度センサ７３１は、熱交換器７００の過昇温度を検知する。これにより、制御部１３０は、熱交換器７００から出湯する洗浄水の温度を制御する。
【０１１２】
＜５＞ノズル装置の構成
以下に、本実施の形態における衛生洗浄装置のノズル装置の構成について、図１６から図２８を用いて説明する。
【０１１３】
図１６は、本実施の形態におけるノズル装置の収納状態を示す斜視図である。図１７は、図１６に示す１７−１７線断面図である。図１８は、ノズル装置の収納状態を示す縦断面図である。図１９は、図１８に示すＢ部の詳細断面図である。図２０は、図１９に示す２０−２０線断面図である。図２１は、ノズル装置の収納状態を示す横断面図である。図２２は、図２１に示すＣ部の詳細断面図である。図２３は、ノズル装置のお尻洗浄状態を示す縦断面図である。図２４は、図２３に示すＤ部の詳細断面図である。図２５は、ノズル装置のビデ洗浄状態を示す縦断面図である。図２６は、図２５に示すＥ部の詳細断面図である。図２７は、ノズル装置のビデ洗浄状態を示すノズル部の横断面図である。図２８は、図２７に示すＧ部の詳細断面図である。
【０１１４】
図１６に示すように、ノズル装置８００は、少なくとも支持部８１０と、ノズル部８２０と、駆動部８６０と、流調弁５１７などで構成されている。支持部８１０は、例えばＰＯＭ（ポリオキシメチレン：ｐｏｌｙｏｘｙｍｅｔｈｙｌｅｎｅ）やＡＢＳなどの樹脂材料で成型した、側面視において略三角形（三角形を含む）の枠状で形成されている。ノズル部８２０は、支持部８１０に沿って進退移動する。駆動部８６０は、ノズル部８２０を駆動して進退移動させる。流調弁５１７は、ノズル部８２０への洗浄水の供給を切り替える。
【０１１５】
なお、以降のノズル装置の説明では、ノズル部の収納方向を後方とし、ノズル部の進出方向を前方とし、後方より前方に向かって右側を右方、左側を左方として、各構成要素の配置を説明する。
【０１１６】
支持部８１０は、略水平（水平を含む）な底辺部８１１に対して、後部より前部に向かって降下した傾斜部８１２と、底辺部８１１と傾斜部８１２の後端を接合する縦辺部８１３からなる枠状に形成されている。傾斜部８１２には、ノズル部８２０の進退移動を案内するガイドレール８１４と、駆動部８６０の可撓ラック８６１（図１７参照）を案内するラックガイド８１５（図１７参照）が略全長（全長を含む）に亘って形成されている。そして、傾斜部８１２の前端下方には、ノズル部８２０を包囲するように支持する略円筒形（円筒形）の抱持部８１６が一体に形成されている。
【０１１７】
また、図１７に示すように、ノズル部８２０を案内するガイドレール８１４は、断面が略Ｔ字状（Ｔ字状を含む）に形成されている。可撓ラック８６１を案内するラックガイド８１５は、断面視において、一方の側面が開放された略コの字状（コの字状を含む）を有し、可撓ラック８６１の上下面と一方の側面を規制して案内する構成を備えている。
【０１１８】
ラックガイド８１５は、傾斜部８１２から支持部８１０の後部の縦辺部８１３と底辺部８１１にも連続して形成されている。このとき、ラックガイド８１５の傾斜部８１２と縦辺部８１３、および縦辺部８１３と底辺部８１１とのコーナは、例えば円弧形状で接続されている。なお、縦辺部８１３と底辺部８１１に形成されたラックガイド８１５の断面形状は、略コの字状（コの字状を含む）で形成されている。一方、ラックガイド８１５の開放された側面は、傾斜部８１２では左側面が開放され、縦辺部８１３と底辺部８１１では反対の右側面が開放されている。そして、ラックガイド８１５の縦辺部８１３と底辺部８１１の開放面は、例えば別部材の支持部蓋などにより閉塞される。
【０１１９】
また、駆動部８６０は、ノズル部８２０に結合された可撓ラック８６１と、可撓ラック８６１と噛合するピニオンギア８６２と、ピニオンギア８６２を回転駆動する駆動モータ８６３で構成されている。駆動部８６０は、ノズル部８２０をガイドレール８１４に沿って進退移動させる。
【０１２０】
駆動モータ８６３は、例えばステッピングモータで構成され、パルス信号により回転角度が制御される。そして、駆動モータ８６３の回転により、ピニオンギア８６２を介して可撓ラック８６１が駆動される。
【０１２１】
支持部８１０の抱持部８１６の内周面とノズル部８２０の外周面との間には、間隙が設けられている。そして、ノズル部８２０から噴出した洗浄水が、間隙に流入してノズル部８２０外周面を洗浄するように構成されている。
【０１２２】
また、ノズル蓋８０１は、抱持部８１６の前方に開閉自在に設けられ、ノズル部８２０の進退により開閉する。そして、ノズル部８２０が収納されている状態でノズル蓋８０１を閉塞することにより、ノズル部８２０が便などで汚染されることを防止する。
【０１２３】
支持部８１０の底辺部８１１には、洗浄水供給部に接続する給水チューブ（図示せず）と支持部８１０から流調弁５１７に洗浄水を供給する接続チューブ８０２とを相互に接続する給水継手８１７が形成されている。
【０１２４】
図２１に示すように、ノズル部８２０は、少なくとも、例えばＡＢＳなどの樹脂材料で成型された棒状のノズル本体８３０と、ノズルカバー８４０と、連結部８５０などで構成されている。ノズルカバー８４０は、筒状で形成され、ノズル本体８３０の略全体（全体を含む）を覆う。連結部８５０は、ノズル本体８３０でノズルカバー８４０を牽引する。
【０１２５】
さらに、ノズル部８２０のノズル本体８３０は、図６に示すように、局部を洗浄するお尻洗浄部８３１と、女性の局部を洗浄するビデ洗浄部８３２と、ノズル部８２０をクリーニングするノズルクリーニング部８３３などを備えている。
【０１２６】
図２３および図２４に示すように、お尻洗浄部８３１は、ノズル本体８３０の先端部に上方に開口したお尻洗浄噴出口８３４と、ノズル本体８３０の後端よりお尻洗浄噴出口８３４に連通するお尻洗浄流路８３５で構成されている。そして、お尻洗浄流路８３５は、ノズル本体８３０の下部側に設置され、お尻洗浄噴出口８３４の下方で上方に向かって屈曲する屈曲部が設けられている。さらに、屈曲部には、洗浄水の流れを整流する整流板８３５ａが設置されている。これにより、お尻洗浄噴出口８３４から噴出した洗浄水は、ノズルカバー８４０の噴出開口８４４を通過して上方に向かって噴出される。
【０１２７】
また、図２５および図２６に示すように、ビデ洗浄部８３２は、お尻洗浄噴出口８３４の後方に配置されたビデ洗浄噴出口８３６と、ノズル本体８３０の後端よりビデ洗浄噴出口８３６に連通するビデ洗浄流路８３７で構成されている。そして、ビデ洗浄噴出口８３６から噴出した洗浄水は、ノズルカバー８４０の噴出開口８４４を通過して上方に向かって噴出される。
【０１２８】
また、ノズルクリーニング部８３３は、図２７に示すように、ノズル本体８３０の側面に配置されたノズルクリーニング噴出口８３８と、ノズル本体８３０の後端よりノズルクリーニング噴出口８３８に連通するノズルクリーニング流路８３９で構成されている。そして、ノズルクリーニング噴出口８３８から噴出した洗浄水は、ノズルカバー８４０の内部に噴出され、ノズルカバー８４０の排水口８４５からノズルカバー８４０の外部に放出される。なお、ノズルクリーニング噴出口８３８から噴出した洗浄水は、ノズル部８２０とその周辺の清掃に使用される。
【０１２９】
さらに、ノズル部８２０の前方は支持部８１０の抱持部８１６に挿入した状態で支持され、ノズル部８２０の後部はガイドレール８１４に懸架された状態で摺動自在に設置されている。そして、ノズル部８２０は、図１６に示すノズル部８２０を抱持部８１６より後方に収容された収納位置と、図２３に示すノズル部８２０が抱持部８１６より突出したお尻洗浄位置と、図２５に示すビデ洗浄位置との間を進退可能に構成されている。
【０１３０】
また、ノズルカバー８４０は、ノズルカバー本体８４１と連結部材８４２から構成されている。ノズルカバー本体８４１は、例えばステンレスの薄板を円筒状にして形成され、先端面は閉塞面で、後端面は開放面となっている。連結部材８４２は、例えばＡＢＳなどの樹脂材料で成型された略円筒状（円筒形を含む）で形成され、両側部にノズル本体８３０と係合する連結片８４３を備えている。
【０１３１】
また、連結部材８４２の後端右側には、ノズルカバー８４０の摺動範囲を規制するノズルカバーストッパ（図示せず）が一体に形成されている。そして、支持部８１０に形成された前ストッパ受部（図示せず）と後ストッパ受部（図示せず）に当接することにより、ノズルカバー８４０の摺動範囲が規制されるように構成されている。
【０１３２】
さらに、連結部材８４２の一部は、ノズルカバー本体８４１の後端の開口よりノズルカバー本体８４１内に挿入された状態で固定され一体化されている。
【０１３３】
また、ノズルカバー本体８４１の前方上面には、ノズル本体８３０のお尻洗浄噴出口８３４とビデ洗浄噴出口８３６が対向可能な噴出開口８４４が、１個設けられている。ノズルカバー本体８４１の前方下面には、ノズルカバー本体８４１内に流出した洗浄水を外部に排出する排水口８４５が設けられている。
【０１３４】
なお、ノズルカバー８４０の内径は、ノズル本体８３０の外径より僅かに大きい寸法を有する。これにより、ノズルカバー８４０にノズル本体８３０を挿入した状態で、ノズル本体８３０とノズルカバー８４０が互いにスムーズに摺動可能に構成されている。
【０１３５】
また、ノズル本体８３０の後端面には、流調弁５１７が設置されている。流調弁５１７はディスクタイプの弁本体５１７ａと、切り替え動作を駆動するステッピングモータ５１７ｂで構成されている。流調弁５１７は、お尻洗浄流路８３５と、ビデ洗浄流路８３７と、ノズルクリーニング流路８３９とを選択的に切り替えて、洗浄水を供給する。
【０１３６】
また、流調弁５１７の弁本体５１７ａの外面には、流調弁５１７に洗浄水を供給する給水口５１７ｃが設置され、給水口５１７ｃは支持部８１０の給水継手８１７と接続チューブ８０２で接合されて連通する。
【０１３７】
以下に、本実施の形態におけるノズルカバー８４０の連結部材８４２とノズル本体８３０の連結受部８５１で構成される連結部８５０について、図２２および図２８を用いて説明する。
【０１３８】
図２２および図２８に示すように、ノズル本体８３０の後端部の外周右側には、連結受部８５１が形成されている。連結受部８５１は、略Ｖ字型（Ｖ字型を含む）の、前方の前凹陥部８５１ａと後方の後凹陥部８５１ｂの溝が形成され、前後に間隔をあけて配置されている。なお、前凹陥部８５１ａと後凹陥部８５１ｂの間隔は、お尻洗浄噴出口８３４とビデ洗浄噴出口８３６の間隔と等しい寸法で設けられている。
【０１３９】
一方、ノズルカバー８４０の連結部材８４２は、略円筒状（円筒状を含む）の、例えばＡＢＳやＰＯＭなどの樹脂材料で成型され、後部両側部は後方に突出した連結片８４３を備えている。連結片８４３の後端部には、内方に突出した略Ｖ字形状（Ｖ字形状を含む）の連結突起８４３ａが形成されている。
【０１４０】
そして、ノズル本体８３０をノズルカバー８４０に挿入すると、弾性により、ノズルカバー８４０の連結部材８４２の連結突起８４３ａが、ノズル本体８３０の連結受部８５１に、常時、押し当てられる。このとき、連結突起８４３ａが前凹陥部８５１ａまたは後凹陥部８５１ｂに係合されると、ノズル本体８３０とノズルカバー８４０が連結された状態となる。これにより、ノズルカバー８４０は、ノズル本体８３０に牽引されて移動することが可能となる。
【０１４１】
なお、図２２に示すように、連結突起８４３ａが前凹陥部８５１ａに入り込んでいる状態では、図２６に示すように、ノズル本体８３０のビデ洗浄噴出口８３６とノズルカバー８４０の噴出開口８４４が対向した状態となる。一方、図２８に示すように、連結突起８４３ａが後凹陥部８５１ｂに入り込んでいる状態では、図１９および図２４に示すように、お尻洗浄噴出口８３４と噴出開口８４４が対向した状態となる。これにより、所定の噴出口から洗浄水を噴出させることができる。
【０１４２】
＜６＞便蓋の構成
以下に、本実施の形態における衛生洗浄装置の便蓋の構成について、図２９から図３２を用いて説明する。
【０１４３】
図２９は、便蓋の分解状態を上下反転した状態で示す斜視図である。図３０は、便蓋の組立状態を上下反転した状態で示す斜視図である。図３１は、図３０に示す３１−３１線断面図である。図３２は、図３０に示す３２−３２線断面図である。
【０１４４】
図２９に示すように、本実施の形態の便蓋３２０は、少なくとも便蓋本体３３０と、便蓋内面部材３４０と、断熱材３５０と、緩衝部材３５１などから構成されている。このとき、便蓋本体３３０および便蓋内面部材３４０は、例えばポリプロピレン樹脂（ＰＰ）で一体成型により形成されている。断熱材３５０は、例えば発泡スチロール製の材料で形成されている。緩衝部材３５１は、弾性を備えた軟質樹脂材料である、例えば熱可塑性エラストマー樹脂（ＴＰＥ）などで成型されている。
【０１４５】
そして、便蓋本体３３０は、略半楕円形状（半楕円形状を含む）の上面部３３１と、上面部３３１の外周の前部と両側部に一体に形成された側面部３３２とを備えている。便蓋本体３３０の上面部３３１の平面形状は、図１に示す便座３００の外形と略相似形（相似形を含む）で形成されている。そして、便蓋３２０の閉塞状態において、便座３００の上面の全てを覆う。また、便蓋本体３３０の側面部３３２は、便座３００の側面の一部を覆う形状で形成されている。
【０１４６】
便蓋本体３３０の上面部３３１の前方内面の２箇所には、便蓋内面部材３４０と緩衝部材３５１を保持する保持部３３３が形成されている。
【０１４７】
また、側面部３３２の両後端部には、本体２００に設けられた回動軸に嵌合する筒状の軸受部３３４が一体に形成されている。そして、樹脂材料の弾性を利用して、側面部３３２を押し広げることにより、側面部３３２の軸受部３３４が、本体２００の回動軸に着脱できる構成となっている。
【０１４８】
さらに、それぞれの軸受部３３４と上面部３３１との接合部には、便蓋内面部材３４０の後端を係合する係合部３３４ａが一体に形成されている。
【０１４９】
また、便蓋内面部材３４０は、少なくとも平面部３４１と、側面リブ３４２と、補強リブ３４３などが一体に形成されている。平面部３４１は、便蓋本体３３０の上面部３３１と略相似形（相似形を含む）で形成されている。側面リブ３４２は、平面部３４１の両側部に直角方向に切り起こして形成されている。補強リブ３４３は、側面リブ３４２の外面に設けられ、側面リブ３４２の強度を補強する。
【０１５０】
さらに、図２９に示す状態において、平面部３４１の前部および両側部の外周は上方に向かって曲面状に形成され、平面部３４１の先端に向かって肉厚が薄い接合辺３４７が形成されている。なお、接合辺３４７を備えることにより、便蓋本体３３０と便蓋内面部材３４０を組み立てた場合、外周の密着性を向上させることができる。
【０１５１】
便蓋内面部材３４０の平面部３４１は、前方２箇所に、便蓋本体３３０に形成された保持部３３３と結合する結合部３４４が一体に形成されている。結合部３４４の中央には、ねじ孔が開口して設けられている。そして、便蓋本体３３０と便蓋内面部材３４０とは、ねじ３２２で固定されるように構成されている。さらに、便蓋内面部材３４０の後端部の両側部には、便蓋本体３３０に形成された係合部３３４ａに係合させる係合片３４５が形成されている。
【０１５２】
また、図２９で示すように、図３０に示す便蓋本体３３０と対向する面を下方とした状態で、便蓋内面部材３４０の平面部３４１の両側部には、上方に凹陥した凹陥部３４６が形成されている。凹陥部３４６は、便蓋内面部材３４０の平面部３４１の後端より前端近傍まで形成されている。
【０１５３】
また、図３１に示すように、通常、平面部３４１の部分で、便蓋本体３３０と便蓋内面部材３４０とは、例えば１ｍｍ以下の小さい間隙３２１が形成されるように構成されている。しかし、成型部材の形状のバラツキなどにより、部分的に当接する部分がある場合もある。また、凹陥部３４６の部分では、便蓋本体３３０と便蓋内面部材３４０の間に、最大で約３ｃｍの間隙３２１が形成されるように構成されている。
【０１５４】
断熱材３５０は、平面視が略長方形（長方形を含む）の板状で形成されている。具体的には、断熱材３５０は、便蓋内面部材３４０の凹陥部３４６に収容可能な形状に成型されている。これにより、便蓋本体３３０と便蓋内面部材３４０で形成される間隙３２１内部に断熱材３５０が収容される。
【０１５５】
また、図３２に示すように、緩衝部材３５１は、便蓋本体３３０の保持部３３３に嵌入される脚部３５１ａと、便座３００の上面に当接する当接部３５１ｂが一体に成型されて構成されている。緩衝部材３５１は、便蓋３２０と便座３００との当接時の衝撃を緩和する。緩衝部材３５１の脚部３５１ａは、便蓋本体３３０の保持部３３３に圧入することにより、容易に抜けないように構成されている。そのため、当接部３５１ｂは、脚部３５１ａより大きい寸法で形成されている。
【０１５６】
以下に、上記構成の便蓋３２０の組立について、具体的に説明する。
【０１５７】
まず、便蓋本体３３０の内面に、２個の断熱材３５０を所定位置に配置する。その状態で、便蓋内面部材３４０の係合片３４５を、便蓋本体３３０の係合部３３４ａに係合させる。これにより、断熱材３５０を内装した状態で便蓋内面部材３４０の後部が、便蓋本体３３０に係合される。
【０１５８】
つぎに、図３２に示すように、便蓋内面部材３４０の結合部３４４を便蓋本体３３０の保持部３３３を係合し、ねじ３２２で固定する。これにより、便蓋内面部材３４０と便蓋本体３３０が、ねじ３２２を介して固定される。
【０１５９】
つぎに、ねじ３２２で固定された上から、緩衝部材３５１を保持部３３３に圧入する。これにより、緩衝部材３５１が保持部３３３に固定される。
【０１６０】
つまり、図３１および図３２に示すように、便蓋本体３３０と便蓋内面部材３４０と緩衝部材３５１とを組み立てた状態では、便蓋内面部材３４０の接合辺３４７と便蓋本体３３０の内面とは、ほぼ密接した状態となる。これにより、便蓋本体３３０と便蓋内面部材３４０との間に形成される間隙３２１内部の空気の流動が抑制される。その結果、便蓋３２０の断熱効果が向上する。
【０１６１】
上述したように、本実施の形態の衛生洗浄装置によれば、サブタンク内に仕切壁を設け、入水槽と貯溜槽を形成し、サブタンクの天面に大気開放口を設ける。これにより、入水槽の底部近傍の入水口から流入した空気を含む洗浄水は、入水槽内を上昇する間に少なくとも一部の空気が分離される。分離された空気は、大気開放口よりサブタンク外に放出される。一方、空気の含有量が低減した洗浄水は、仕切壁を越えて貯溜槽に流入する。そして、貯溜槽の底部近傍の出水口からは空気含有量が低減された洗浄水が出水される。そのため、熱交換器には空気含有量の少ない洗浄水が供給される。これにより、熱交換器内で発生する気泡を低減して、熱交換器の熱効率を向上できる。その結果、熱交換器の損傷の低減と、耐久性の向上を図ることができる。
【０１６２】
また、本実施の形態の衛生洗浄装置によれば、水回路に、流量を検知する専用の流量センサを別途設けることなく、サブタンクに設けた水位検知センサにより水位の変化を検知して、流量を演算する。これにより、水回路の構成を簡素化できるとともに、コストの低減を図ることができる。
【０１６３】
また、本実施の形態の衛生洗浄装置によれば、サブタンクに設けた水位検知センサのコモン電極と、水位電極とを異なる面に設置する。これにより、タンク本体の内面に付着した残水を貯溜水として誤検知することを抑制できる。その結果、水位検知センサの検知精度と信頼性を向上することができる。
【０１６４】
また、本実施の形態の衛生洗浄装置によれば、水ポンプの振動の少ないモータ部を、弾性を備えた発泡樹脂製の緩衝部材を介してシャーシの水ポンプ設置部に設置する。そして、バッファータンクは接続チューブを介して接続する。これにより、水ポンプの駆動時に発生する振動が、シャーシ、他の部材や本体に伝わることを抑制できる。
【０１６５】
（実施の形態２）
以下に、本実施の形態２における衛生洗浄装置の構成について、図３３から図３６を用いて説明する。
【０１６６】
図３３は、本発明の実施の形態２におけるサブタンクの外観を示す斜視図である。図３４は、同実施の形態におけるサブタンクの横方向の断面図である。図３５は、同実施の形態におけるサブタンクの前後方向の断面図である。図３６は、同実施の形態におけるサブタンクの満水状態における天面部の模式図である。
【０１６７】
すなわち、本実施の形態の衛生洗浄装置は、サブタンクの構成が実施の形態１とは異なる。なお、衛生洗浄装置の他の構成は、実施の形態１と同様の構成であるので、詳細な説明は省略する。また、実施の形態１と同一の構成要素には、同一符号を付して、説明する。
【０１６８】
図３３に示すように、本実施の形態の衛生洗浄装置のサブタンク６５０は、少なくともタンク本体６６０と、水位検知センサ６２０と、入水温度センサ６３０などからで構成されている。タンク本体６６０は、例えばＡＢＳなどの樹脂材料の成型により形成されている。水位検知センサ６２０は、タンク本体６６０に貯溜された洗浄水の水位を検知する。入水温度センサ６３０は、例えばサーミスタなどから構成され、タンク本体６６０内に供給される洗浄水の温度を検知する。
【０１６９】
タンク本体６６０は、タンクの前壁、両側壁、底面、天面を構成する前部タンク６６１と、タンクの後壁を構成する後部タンク６６２などの２個の部材で構成されている。タンク本体６６０の全体的な形状は、実施の形態１と同様に前壁、後壁、両側壁、底面、天面からなる複数の平面で形成され、図３４に示すように平面視で見た場合の形状は、略四角形（四角形を含む）で形成されている。前部タンク６１１の前壁は、途中から後退する傾斜部を備える。つまり、図３５に示すように側面視で見た場合の形状は、下部より上部が細くなった略台形形状（台形形状を含む）で形成されている。これにより、タンク本体６６０の上部の断面積が下部より小さい断面積となっている。
【０１７０】
また、タンク本体６６０の一方の側壁下部には入水口６０１が、タンク本体６６０後壁下部には出水口６０２が設けられている。
【０１７１】
さらに、タンク本体６６０の側壁上部には、タンク本体６６０の内部と外部とを連通する大気開放口６０３が設けられている。大気開放口６０３は、タンク本体６６０内に溜まった空気を外部に放出し、タンク本体６６０の内部圧力を、常時、大気圧に維持する。これにより、サブタンク６５０の内部が、常時、大気圧に維持され、サブタンク６５０の下流から水ポンプ５１６の吸水口５１６ｄまでの洗浄水供給流路９００（図６参照）も大気圧に維持される。そのため、水ポンプ５１６は、水圧変動の影響を受けずに吸水することができる。その結果、水ポンプ５１６は、安定したポンプ機能を発揮できる。
【０１７２】
また、図３４に示すように、タンク本体６６０の入水口６０１の内部には、少なくとも仕切壁６６３と、整流部６６５が設けられている。仕切壁６６３は、入水口６０１に対向する位置に、底面より起立して形成されている。整流部６６５は、仕切壁６６３を覆うように側壁から略Ｌ字状（Ｌ字状を含む）に延出した整流リブ６６４で構成されている。
【０１７３】
さらに、整流部６６５は、流入槽６６５ａと流出路６６５ｂとから構成され、タンク本体６６０の側壁の全幅に亘って形成されている。流入槽６６５ａは、側壁と仕切壁６６３とで形成されている。流出路６６５ｂは、仕切壁６６３と整流リブ６６４とで形成されている。
【０１７４】
以下に、サブタンク６５０内の洗浄水の流れについて、説明する。
【０１７５】
サブタンク６００の入水口６０１から流入した洗浄水は、まず、整流部６６５の流入槽６６５ａの下部に流入する。流入した洗浄水は、流入槽６６５ａ内で拡散上昇する間に流速が低減される。流速が低減された洗浄水は、仕切壁６６３の上端を乗り越えて流出路６６５ｂに流入する。そして、洗浄水は、整流リブ６６４の下端である流出路６６５ｂの下端からタンク本体６６０内に下向きに流入する。
【０１７６】
このとき、入水口６０１から流入する洗浄水の圧力が高い場合、あるいは大量の空気を含んで流れが乱れている場合、洗浄水は整流部６６５内で流れが整流化される。そして、タンク本体６６０内には整流化された洗浄水が流入して貯溜される。これにより、洗浄水に含まれる空気は貯溜中に分離され、大気開放口６０３よりタンク本体６６０外に放出される。
【０１７７】
上記のように、洗浄水は、サブタンク６５０内を流れる。
【０１７８】
また、図３３から図３６に示すように、サブタンク６５０は、内部にステンレス材料で形成された、共通の電極となるコモン電極６７１と、水位毎に設置された複数の水位電極６７２で構成される水位検知センサ６２０を備えている。なお、本実施の形態でも本実施の形態１と同様に、１個のコモン電極６７１と２個の水位電極６７２で構成した例で示している。
【０１７９】
コモン電極６７１はタンク本体６６０の前壁下部の内面に配置され、水位電極６７２はタンク本体６６０の天面の内面に配置されている。このとき、水位電極６７２は、天面より垂下して設置される、上部電極６７３と下部電極６７４から構成されている。上部電極６７３は、電極の長さが短く、先端が高い位置に配置される。一方、下部電極６７４は、電極の長さが長く、先端が低い位置に配置される。そして、コモン電極６７１は、水位電極６７２の下部電極６７４の先端より低い位置で、かつ通常の使用状態においては、常に浸水した状態で配置されている。
【０１８０】
また、図３４および図３６に示すように、タンク本体６６０の天面には、２枚の垂下するリブ６６６により、上方に凹陥した２個の凹陥部６６７が形成されている。凹陥部６６７は、タンク本体６６０内の水位がリブ６６６の下端より上昇した場合、水面６５１により密閉され、空気が貯溜された空間が形成される。これにより、サブタンク６５０の満水状態においても、凹陥部６６７の少なくとも一部には洗浄水で浸水されない密閉空間６６８が形成される。
【０１８１】
このとき、上部電極６７３と下部電極６７４は、それぞれ凹陥部６６７の最も高い位置である天面に設置されている。そして、上部電極６７３と下部電極６７４の基部は、水位が上昇した場合に形成される密閉空間６６８内に配置されている。
【０１８２】
つまり、上部電極６７３と下部電極６７４を密閉空間６６８内に配置することにより、上部電極６７３と下部電極６７４の基部は、常に洗浄水と直接接触しない構成となる。そのため、上部電極６７３と下部電極６７４の先端が水面６５１より離間した状態においては、上部電極６７３と下部電極６７４の基部とタンク本体６６０の内面に付着した残水とは、確実に離間した状態となる。その結果、タンク本体６６０の内面に付着した残水を、貯溜水として誤検知することを防止できる。
【０１８３】
また、本実施の形態では、タンク本体６６０の入水口６０１の内方に整流部６６５を設けている。そのため、入水口６０１より流入した洗浄水が飛び跳ねて水位電極６７２に付着することによる水位の誤検知を防止することができる。さらに、タンク本体６６０内の水位上昇時において、水面に波が発生することを抑制することができる。その結果、水位検知の精度をさらに向上させることができる。
【０１８４】
なお、本実施の形態では、タンク本体の天面に凹陥部を２個設け、２個の密閉空間が形成される構成とし、上部電極と下部電極を個別の密閉空間に設置した構成を例に説明したが、これに限られない。例えば、タンク本体の天面に１個の密閉空間を形成し、上部電極と下部電極を同一の密閉空間内に設置してもよい。
【０１８５】
また、本実施の形態では、コモン電極をタンク本体の前壁に設置し、２個の水位電極のみを天面の密閉空間に設置した構成を例に説明したが、これに限られない。例えば、全ての電極を天面の密閉空間に設置する構成としてもよい。この構成の場合、残水による誤検知をより確実に防止できる。
【０１８６】
以上で説明したように、本発明の衛生洗浄装置は、洗浄水を噴出するノズル装置と、ノズル装置に洗浄水を供給する洗浄水供給流路と、制御部とを含む。洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクとを備える。サブタンクは、上面に配置された大気開放口と、仕切壁により分割形成された入水槽と、貯溜槽と、入水槽の底部近傍に配置された入水口と、貯溜槽の底部近傍に配置された出水口とを備える。そして、サブタンクの入水口から入水槽に流入した洗浄水は、仕切壁の上端を越えて貯溜槽に流入する構成としてもよい。
【０１８７】
これにより、サブタンクの入水槽の底部近傍の入水口から流入した空気を含む洗浄水は、入水槽内を上昇する間に少なくとも一部の空気が分離される。分離された空気は大気開放口よりサブタンク外に放出され、洗浄水の空気含有量が低減される。空気の含有量が低減した洗浄水は、仕切壁を越えて貯溜槽に流入する。そして、貯溜槽の底部近傍の出水口からは空気含有量が低減された洗浄水が流出され、熱交換器に供給される。つまり、熱交換器には空気含有量が低減された洗浄水が供給される。これにより、熱交換器内での気泡の発生を低減して、熱交換器の熱効率を向上できる。その結果、熱交換器の損傷の低減と、耐久性の向上が図れる衛生洗浄装置を実現できる。
【０１８８】
また、本発明の衛生洗浄装置のサブタンクは、入水槽の上面開口部と大気開放口の間に、サブタンクの内壁より突出した障壁を備えてもよい。
【０１８９】
これにより、入水口から流入する洗浄水の圧力が高い場合、あるいは大量の空気を含んで著しく流れが乱れている場合でも、洗浄水は障壁により上方への流れを抑制できる。その結果、洗浄水が大気開放口よりサブタンクの外部に流出することを未然に防止できる。
【０１９０】
また、本発明の衛生洗浄装置は、入水槽に、仕切壁と、仕切壁に対向するサブタンクの内壁より、交互に突出した複数の整流リブを備えてもよい。
【０１９１】
これにより、入水口から流入する洗浄水の圧力が高い場合、あるいは大量の空気を含んで著しく流れが乱れている場合でも、整流リブにより、流れが適度に整流化される。その結果、整流リブの下流側で発生する渦により洗浄水内に含まれる空気が分離され、洗浄水に含まれる空気を減少できる。
【０１９２】
また、本発明の衛生洗浄装置のサブタンクは、サブタンク内に貯溜した洗浄水の水位を検知する水位検知センサを、さらに備える。水位検知センサは、サブタンクの内面にコモン電極と複数の水位電極とを備える。制御部は、コモン電極と水位電極間に直流電流を印加し、電圧の変化により水位を検知する構成を有する。そして、水位検知センサのコモン電極と、水位電極とは異なる面に配置してもよい。
【０１９３】
これにより、サブタンクの内面に付着した残水を貯溜水として誤検知することを抑制できる。つまり、水位検知センサの検知精度と信頼性が向上する。これにより、サブタンクからの溢水を確実に防止できる。その結果し、安全性と信頼性の高い衛生洗浄装置を実現できる。
【０１９４】
また、本発明の衛生洗浄装置は、コモン電極と、水位電極とは対向する面に配置してもよい。
【０１９５】
これにより、コモン電極と水位電極とは最大限隔離された位置に配置される。そのため、サブタンクの内面に付着した残水による誤検知を、より確実に抑制できる。その結果、水位検知センサの検知精度と信頼性を向上することができる。
【０１９６】
また、本発明の衛生洗浄装置のサブタンクは、天面の一部と貯溜する洗浄水の水面とで形成され、洗浄水が浸水しない密閉空間を、さらに備え、水位電極は、密閉空間を形成する天面に配置してもよい。
【０１９７】
これにより、水位電極とサブタンクの内面に付着した残水とを、確実に離間した状態にできる。そのため、サブタンクの内面に付着した残水を、貯溜水として誤検知することを防止できる。その結果、水位検知センサの検知精度と信頼性をより一層向上することができる。
【０１９８】
また、本発明の衛生洗浄装置は、制御部が、コモン電極と水位電極間に、直流電流の極性を周期的に反転して印加してもよい。
【０１９９】
これにより、電気分解の作用により電極を形成する金属の酸化および溶出を抑制して、電極の劣化を抑制できる。その結果、長期間に亘り、信頼性に優れる衛生洗浄装置を実現できる。
【産業上の利用可能性】
【０２００】
本発明は、衛生洗浄装置のサブタンクの洗浄水に含まれる空気を効果的に低減することができる。そのため、水道配管に直結して使用する他の給水機器などの用途にも適用できる。
【符号の説明】
【０２０１】
１    水道配管
２    分岐水栓
３，５１１    ストレーナ
４，５１２    逆止弁
５，５１３    定流量弁
６，５１４    止水電磁弁
７    流量センサ
８，１０    温度センサ
９，７００    熱交換器
１１    ポンプ
１２    切替弁
１３    ノズル部
１００    衛生洗浄装置
１１０    便器
１２０    脱臭装置
１３０    制御部
２００    本体
２０１    後本体ケース
２１０    操作部
２１１    赤外線受信部
２２０    操作スイッチ
２２１    お尻洗浄スイッチ
２２２    ノズル掃除スイッチ
２３０    設定スイッチ
２３１    温水温度スイッチ
２３２    便座温度スイッチ
２３３    ８時間切りスイッチ
２３４    節電スイッチ
２３５    便蓋自動開閉スイッチ
２４０    表示灯
３００    便座
３２０    便蓋
３２１    間隙
３３０    便蓋本体
３３１    上面部
３３２    側面部
３３３    保持部
３３４    軸受部
３３４ａ    係合部
３４０    便蓋内面部材
３４１    平面部
３４２    側面リブ
３４３    補強リブ
３４４    結合部
３４５    係合片
３４６，６６７    凹陥部
３４７    接合辺
３５０    断熱材
３５１    緩衝部材
３５１ａ    脚部
３５１ｂ    当接部
３６０    便座便蓋回動機構
４００    リモートコントローラ
４０１    リモコン本体
４０２    送信部
４１０    お尻洗浄スイッチ
４１１    ビデ洗浄スイッチ
４１２    停止スイッチ
４１３    ムーブ洗浄スイッチ
４１４    リズム洗浄スイッチ
４１５    洗浄強さスイッチ
４１６    洗浄位置スイッチ
４１７    ノズル除菌スイッチ
４１８    便蓋スイッチ
４１９    便座スイッチ
４２１    強さ表示灯
４２２    位置表示灯
４５０    人体検知センサ
５００    洗浄部
５０１    シャーシ
５０１ａ    水ポンプ設置部
５０１ｂ    脚部
５０２    接続チューブ
５１０    給水接続口
５１５    リリーフ弁
５１６    水ポンプ
５１６ａ    モータ部
５１６ｂ    リンク機構部
５１６ｃ    ピストン部
５１６ｄ    吸水口
５１６ｅ    吐出口
５１７    流調弁
５１７ａ    弁本体
５１７ｂ    ステッピングモータ
５１７ｃ    給水口
６００，６５０    サブタンク
６０１    入水口
６０２    出水口
６０３    大気開放口
６１０，６６０    タンク本体
６１１，６６１    前部タンク
６１２，６６２    後部タンク
６１３    大気開放部
６１３ａ    バッファ部
６１４，６６３    仕切壁
６１５    入水槽
６１５ａ    上面開口部
６１６    貯溜槽
６１７    障壁
６１８，６６４    整流リブ
６２０    水位検知センサ
６２１，６７１    コモン電極
６２２，６７２    水位電極
６２３，６７３    上部電極
６２４，６７４    下部電極
６３０    入水温度センサ
６５１    水面
６６５    整流部
６６５ａ    流入槽
６６５ｂ    流出路
６６６    リブ
６６８    密閉空間
７０１    ケーシング
７０２    平板状ヒータ
７０３    出湯部材
７１０    前面部材
７１１    入水口
７１２    出湯口
７１３    入水流路
７１４    スリット
７１５    加熱流路
７１６    仕切リブ
７１７    通水孔
７１８    突起
７２０    背面部材
７３０    出湯温度センサ
７３１    過昇温度センサ
７５０    バッファータンク
８００    ノズル装置
８０１    ノズル蓋
８０２    接続チューブ
８１０  支持部
８１１    底辺部
８１２    傾斜部
８１３    縦辺部
８１４    ガイドレール
８１５    ラックガイド
８１６    抱持部
８１７    給水継手
８２０    ノズル部
８３０    ノズル本体
８３１    お尻洗浄部
８３２    ビデ洗浄部
８３３    ノズルクリーニング部
８３４    お尻洗浄噴出口
８３５    お尻洗浄流路
８３５ａ    整流板
８３６    ビデ洗浄噴出口
８３７    ビデ洗浄流路
８３８    ノズルクリーニング噴出口
８３９    ノズルクリーニング流路
８４０    ノズルカバー
８４１    ノズルカバー本体
８４２    連結部材
８４３    連結片
８４３ａ    連結突起
８４４    噴出開口
８４５    排水口
８５０    連結部
８５１    連結受部
８５１ａ    前凹陥部
８５１ｂ    後凹陥部
８６０    駆動部
８６１    可撓ラック
８６２    ピニオンギア
８６３    駆動モータ
９００    洗浄水供給流路
【図１】
2015037199.tif 000003
【図２】
2015037199.tif 000004
【図３】
2015037199.tif 000005
【図４】
2015037199.tif 000006
【図５】
2015037199.tif 000007
【図６】
2015037199.tif 000008
【図７】
2015037199.tif 000009
【図８】
2015037199.tif 000010
【図９】
2015037199.tif 000011
【図１０】
2015037199.tif 000012
【図１１】
2015037199.tif 000013
【図１２】
2015037199.tif 000014
【図１３】
2015037199.tif 000015
【図１４】
2015037199.tif 000016
【図１５】
2015037199.tif 000017
【図１６】
2015037199.tif 000018
【図１７】
2015037199.tif 000019
【図１８】
2015037199.tif 000020
【図１９】
2015037199.tif 000021
【図２０】
2015037199.tif 000022
【図２１】
2015037199.tif 000023
【図２２】
2015037199.tif 000024
【図２３】
2015037199.tif 000025
【図２４】
2015037199.tif 000026
【図２５】
2015037199.tif 000027
【図２６】
2015037199.tif 000028
【図２７】
2015037199.tif 000029
【図２８】
2015037199.tif 000030
【図２９】
2015037199.tif 000031
【図３０】
2015037199.tif 000032
【図３１】
2015037199.tif 000033
【図３２】
2015037199.tif 000034
【図３３】
2015037199.tif 000035
【図３４】
2015037199.tif 000036
【図３５】
2015037199.tif 000037
【図３６】
2015037199.tif 000038
【図３７】
2015037199.tif 000039
【手続補正書】
【提出日】平成28年1月26日(2016.1.26)
【手続補正１】
【補正対象書類名】明細書
【補正対象項目名】全文
【補正方法】変更
【補正の内容】
【発明の詳細な説明】
【技術分野】
【０００１】
本発明は、人体局部を洗浄する衛生洗浄装置における洗浄水の給水構造に関する。
【背景技術】
【０００２】
従来、この種の洗浄水を瞬間的に加熱する熱交換器を備えた衛生洗浄装置は、熱交換器の上流側に、水道配管に接続される分岐水栓から、ストレーナ、逆止弁、定流量弁、止水電磁弁、流量センサが順に接続されている。熱交換器の下流側には、温度センサ、ポンプ、切替弁、ノズル部が順次接続されている。さらに、分岐水栓からノズル装置まで密閉構造の流路が形成され、特に熱交換器の上流側が完全な密閉構造を有する衛生洗浄装置が開示されている（例えば、特許文献１参照）。
【０００３】
以下に、従来の衛生洗浄装置について、図３７を用いて説明する。
【０００４】
図３７は、特許文献１に記載された従来の衛生洗浄装置の水回路の構成を示す模式図である。
【０００５】
図３７に示すように、従来の衛生洗浄装置は、水回路の最上流に、水道配管１に接続された分岐水栓２が配置されている。分岐水栓の下流には、ストレーナ３、逆止弁４、定流量弁５、止水電磁弁６、流量センサ７、温度センサ８、熱交換器９が順次設置されている。熱交換器９の下流には、温度センサ１０、ポンプ１１、切替弁１２、ノズル部１３が順次設置されている。
【０００６】
しかしながら、従来の衛生洗浄装置の構成は、瞬間的に洗浄水を加熱するために、熱交換器に高容量および高温用のヒータを使用している。そのため、洗浄水に含まれる空気が分離してヒータの表面に気泡が発生しやすい。その結果、ヒータの熱が洗浄水に伝達されにくく、熱交換器の熱効率が低下することがある。
【０００７】
また、大量に気泡が発生した場合、局所的に沸騰現象が発生して、熱交換器のヒータが部分的に高温になる。これにより、ヒータの損傷や耐久性が低下する。つまり、熱交換器の熱効率の向上および耐久性の確保の観点から未だ改良の余地があった。
【先行技術文献】
【特許文献】
【０００８】
【特許文献１】特開２００５−０７６４１７号公報
【発明の概要】
【０００９】
本発明は、熱交換器に供給される洗浄水に含まれる空気を減少させて、高効率で耐久性の高い熱交換器を有する衛生洗浄装置を提供する。
【００１０】
つまり、本発明の衛生洗浄装置は、洗浄水を噴出するノズル装置と、ノズル装置に洗浄水を供給する洗浄水供給流路と、制御部とを含む。洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクとを備える。サブタンクは、上面に配置された大気開放口と、仕切壁により分割形成された入水槽と、貯溜槽と、入水槽の底部近傍に配置された入水口と、貯溜槽の底部近傍に配置された出水口とを備える。そして、サブタンクの入水口から入水槽に流入した洗浄水は、仕切壁の上端を越えて貯溜槽に流入する構成を有する。
【００１１】
この構成によれば、サブタンクの入水槽の底部近傍の入水口から流入した空気を含む洗浄水は、入水槽内を上昇する間に少なくとも一部の空気が分離される。分離された空気は、大気開放口よりサブタンク外に放出され、洗浄水の空気含有量が低減される。空気の含有量が低減した洗浄水は、仕切壁を越えて貯溜槽に流入する。そして、貯溜槽の底部近傍の出水口からは空気含有量が低減された洗浄水が流出され、熱交換器に供給される。つまり、熱交換器には空気含有量が低減された洗浄水が供給される。これにより、熱交換器内での気泡の発生を低減して、熱交換器の熱効率を向上できる。その結果、熱交換器の損傷の低減と、耐久性の向上が図れる衛生洗浄装置を実現できる。
【図面の簡単な説明】
【００１２】
【図１】図１は、本発明の実施の形態１における衛生洗浄装置を便器に設置した状態の斜視図である。
【図２】図２は、同衛生洗浄装置の本体の前本体ケースを取り外した状態の斜視図である。
【図３】図３は、同衛生洗浄装置の本体の前本体ケースと制御部を取り外した状態の斜視図である。
【図４】図４は、同衛生洗浄装置の操作部上面を示す斜視図である。
【図５】図５は、リモートコントローラの外観を示す斜視図である。
【図６】図６は、同衛生洗浄装置の水回路の構成を示す模式図である。
【図７】図７は、同衛生洗浄装置の水回路の分解状態を示す斜視図である。
【図８】図８は、同衛生洗浄装置の水回路の組立状態を示す斜視図である。
【図９】図９は、サブタンクの外観を示す斜視図である。
【図１０】図１０は、サブタンクの横方向の断面図である。
【図１１】図１１は、サブタンクの前後方向の断面図である。
【図１２】図１２は、熱交換器の外観を示す斜視図である。
【図１３】図１３は、熱交換器の断面図である。
【図１４】図１４は、水ポンプの外観を示す斜視図である。
【図１５】図１５は、水ポンプの断面図である。
【図１６】図１６は、ノズル装置の収納状態の外観を示す斜視図である。
【図１７】図１７は、図１６に示す１７−１７線断面図である。
【図１８】図１８は、ノズル装置の収納状態を示す縦断面図である。
【図１９】図１９は、図１８に示すＢ部の詳細断面図である。
【図２０】図２０は、図１９に示す２０−２０線断面図である。
【図２１】図２１は、ノズル装置の収納状態を示す横断面図である。
【図２２】図２２は、図２１に示すＣ部の詳細断面図である。
【図２３】図２３は、ノズル装置のお尻洗浄状態を示す縦断面図である。
【図２４】図２４は、図２３に示すＤ部の詳細断面図である。
【図２５】図２５は、ノズル装置のビデ洗浄状態を示す縦断面図である。
【図２６】図２６は、図２５に示すＥ部の詳細断面図である。
【図２７】図２７は、ノズル装置のビデ洗浄状態を示す横断面図である。
【図２８】図２８は、図２７に示すＧ部の詳細断面図である。
【図２９】図２９は、便蓋の分解状態を上下反転した状態で示す斜視図である。
【図３０】図３０は、便蓋の組立状態を上下反転した状態で示す斜視図である。
【図３１】図３１は、図３０に示す３１−３１線断面図である。
【図３２】図３２は、図３０に示す３２−３２線断面図である。
【図３３】図３３は、本発明の実施の形態２におけるサブタンクの外観を示す斜視図である。
【図３４】図３４は、同実施の形態におけるサブタンクの横方向の断面図である。
【図３５】図３５は、同実施の形態におけるサブタンクの前後方向の断面図である。
【図３６】図３６は、同実施の形態におけるサブタンクの満水状態における天面部の模式図である。
【図３７】図３７は、従来の衛生洗浄装置の水回路の構成を示す模式図である。
【発明を実施するための形態】
【００１３】
以下、本発明の実施の形態について、図面を参照しながら説明する。なお、この実施の形態によって本発明が限定されるものではない。
【００１４】
（実施の形態１）
＜１＞衛生洗浄装置の全体構成
以下に、本実施の形態１における衛生洗浄装置の全体構成について、図１から図５を用いて説明する。
【００１５】
図１は、本実施の形態１における衛生洗浄装置を便器上に設置した状態の斜視図である。図２は、同衛生洗浄装置の本体の前本体ケースを取り外した状態の斜視図である。図３は、同衛生洗浄装置の本体の前本体ケースと制御部を取り外した状態の斜視図である。図４は、同衛生洗浄装置の操作部上面を示す斜視図である。図５は、リモートコントローラの外観を示す斜視図である。
【００１６】
図１に示すように、本実施の形態の衛生洗浄装置１００は、少なくとも本体２００、便座３００、便蓋３２０、リモートコントローラ４００、人体検知センサ４５０などを主構成要素として構成される。本体２００と便座３００と便蓋３２０は一体で構成され、便器１１０の上面に設置される。
【００１７】
なお、以降では、衛生洗浄装置１００の本体２００の設置側を後方、便座３００の設置側を前方とし、前方に向かって右側を右方、前方に向かって左側を左方として、各構成要素の配置を説明する。
【００１８】
操作部２１０は、本体２００の側部に突出して、一体的に設けられている。便座便蓋回動機構３６０は、本体２００の前部側に設けられ、便座３００および便蓋３２０を開閉自在に駆動する。なお、便座便蓋回動機構３６０は、例えば直流モータと複数のギアで構成され、便座３００と便蓋３２０を個別または同時に開閉する。
【００１９】
そして、図１に示すように、便蓋３２０を開放した場合、便蓋３２０は衛生洗浄装置１００の最後部に位置するように起立する。一方、便蓋３２０を閉成した場合、便座３００の上面を隠す。
【００２０】
便蓋３２０は、例えばＰＰ（ポリプロピレン）やＡＢＳなどの樹脂材料の成型による部材で構成され、二重構造と断熱材による断熱構造を備えている。なお、便蓋３２０の詳細については、後述する。
【００２１】
便座３００は、着座面を加熱する便座ヒータ（図示せず）を内蔵している。便座ヒータは、便座３００の着座面が快適な温度になるように加熱する。
【００２２】
また、着座センサ（図示せず）は、便座３００の回動軸を支持する本体２００内の軸受部分に設置され、便座３００に着座した人体を検知する。着座センサは、例えば重量式のセンサで構成され、便座３００に使用者が着座することによる重量変化でスイッチを開閉させる。これにより、着座センサは、便座３００の着座面に使用者が着座していることを検知する。
【００２３】
また、図２および図３に示すように、本体２００の内部には、サブタンク６００、熱交換器７００、人体の局部を洗浄するノズル装置８００を備える洗浄部５００と、排便時の臭気を脱臭する脱臭装置１２０と、衛生洗浄装置１００の各機能を制御する制御部１３０などが内蔵されている。なお、洗浄部５００の詳細については、後述する。
【００２４】
このとき、洗浄部５００の主構成要素であるノズル装置８００は、本体２００の内部の中央部に設置され、ノズル装置８００の左側に脱臭装置１２０が設置されている。さらに、ノズル装置８００の左側部に、便座３００と便蓋３２０を開閉駆動する便座便蓋回動機構３６０が設置されている。
【００２５】
ノズル装置８００の右側には、前方に洗浄部５００の止水電磁弁５１４、サブタンク６００などが設置されている。ノズル装置８００の後方には、熱交換器７００が設置されている。熱交換器７００の後方には、水ポンプ５１６が設置されている。制御部１３０は、洗浄部５００の上方に設置されている。
【００２６】
また、図４に示すように、操作部２１０には、衛生洗浄装置１００の各機能を操作および設定する複数のスイッチと表示灯２４０が設置されている。操作部２１０の内部には、操作基板（図示せず）が設置されている。操作基板には、複数のタクトスイッチと複数のＬＥＤが設置されている。これにより、操作部２１０の上面に貼付されたスイッチ銘板を介して、タクトスイッチの押圧操作とＬＥＤの視認が可能となっている。
【００２７】
また、操作部２１０は、赤外線受信部２１１を備えている。赤外線受信部２１１は、操作部２１０の上面後方に配置される、図１に示すリモートコントローラ４００および人体検知センサ４５０から送信される赤外線信号を受信する。
【００２８】
操作部２１０のスイッチは、洗浄動作を操作する複数の操作スイッチ２２０と各種機能を設定する複数の設定スイッチ２３０などから構成されている。また、表示灯２４０は、設定状態を表示する複数のＬＥＤから構成されている。
【００２９】
操作部２１０の操作スイッチ２２０は、リモートコントローラ４００の電池切れや故障の場合に補助的に使用するお尻洗浄スイッチ２２１と、ノズルの掃除を行うときに操作するノズル掃除スイッチ２２２から構成されている。
【００３０】
操作部２１０の設定スイッチ２３０は、例えば温水温度スイッチ２３１、便座温度スイッチ２３２、８時間切りスイッチ２３３、節電スイッチ２３４、便蓋自動開閉スイッチ２３５などで構成されている。各スイッチは、押圧操作により、以下に示す動作を行う。つまり、温水温度スイッチ２３１は、洗浄水の温度を設定する。便座温度スイッチ２３２は、便座３００の温度を設定する。８時間切りスイッチ２３３は、設定すると便座３００の保温を停止して８時間後に便座３００の保温を再開する。節電スイッチ２３４は、衛生洗浄装置１００が使用されない時間帯を自動的に学習して、使用されない時間帯に便座３００の保温温度を下げて、節電を行う。便蓋自動開閉スイッチ２３５は、便座３００および便蓋３２０の自動開閉動作を設定する。
【００３１】
なお、衛生洗浄装置１００の多くの操作は、本体２００とは別体で構成されたリモートコントローラ４００で行われる。そのため、リモートコントローラ４００は、便座３００に着座した使用者が操作のしやすいトイレルームの壁面などに取り付けられる。
【００３２】
リモートコントローラ４００の全体形状は、図５に示すように、薄い直方体で形成されている。リモートコントローラ４００は、例えばＰＰやＡＢＳなどの樹脂材料で成型された箱状のリモコン本体４０１の上面と前面に、複数のスイッチと表示灯を備えている。リモコン本体４０１の上部角部近傍には、リモートコントローラ４００の操作信号を本体２００に赤外線で送信する送信部４０２が配置されている。
【００３３】
また、リモコン本体４０１の内部には、リモートコントローラ４００の制御機能を構成する制御基板（図示せず）と、リモートコントローラ４００の電源である電池（図示せず）などが内蔵されている。
【００３４】
リモコン本体４０１の前面中央部には、例えばお尻洗浄スイッチ４１０、ビデ洗浄スイッチ４１１、停止スイッチ４１２、ムーブ洗浄スイッチ４１３、リズム洗浄スイッチ４１４などが配置されている。各スイッチは、押圧操作などにより、以下に示す動作を行う。お尻洗浄スイッチ４１０は、お尻洗浄を開始する。ビデ洗浄スイッチ４１１は、女性の局部洗浄を開始する。停止スイッチ４１２は、お尻洗浄とビデ洗浄を停止する。ムーブ洗浄スイッチ４１３は、お尻洗浄およびビデ洗浄時に洗浄位置を前後に周期的に移動させて広い範囲の洗浄を可能とする。リズム洗浄スイッチ４１４は、お尻洗浄時に洗浄水による洗浄強さを周期的に変化させて洗浄する。
【００３５】
さらに、リモコン本体４０１の前面上部には、例えば洗浄強さスイッチ４１５、洗浄位置スイッチ４１６、ノズル除菌スイッチ４１７などが配置されている。洗浄強さスイッチ４１５は、お尻洗浄およびビデ洗浄時の洗浄強さを２個のスイッチで調節する。洗浄位置スイッチ４１６は、お尻洗浄およびビデ洗浄時の洗浄位置を２個のスイッチで調整する。ノズル除菌スイッチ４１７は、ノズルを、例えば４０℃の温水で約１分間洗浄して除菌する。
【００３６】
洗浄強さスイッチ４１５の上方には、洗浄強さを５段階で表示するＬＥＤの強さ表示灯４２１が配置されている。さらに、洗浄位置スイッチ４１６の上方には、洗浄位置を５段階で表示する位置表示灯４２２が配置されている。
【００３７】
リモコン本体４０１の上面には、便蓋３２０を電動で開閉する便蓋スイッチ４１８と、便座３００を電動で開閉する便座スイッチ４１９が設置されている。そして、各スイッチを操作することにより、使用者が任意に便座３００と便蓋３２０を開閉できるように構成されている。
【００３８】
また、図１に示す人体検知センサ４５０は、本体２００とは別体で構成され、例えばトイレルームの壁面などに取り付けられる。人体検知センサ４５０は、図示しない、例えば焦電センサ、センサ制御部、赤外線送信部、人体検知センサ４５０の電源である電池などで構成されている。焦電センサは、人体から放出される赤外線を受光する。センサ制御部は、焦電センサの信号で人体の検知を判定する。赤外線送信部は、センサ制御部からの人体検知信号を本体２００の制御部に赤外線で送信する。
【００３９】
以上のように、本実施の形態の衛生洗浄装置が構成されている。
【００４０】
＜２＞洗浄部の構成
以下に、本実施の形態における衛生洗浄装置の洗浄部の構成について、図６から図８を用いて説明する。
【００４１】
図６は、同衛生洗浄装置の水回路の構成を示す模式図である。図７は、同衛生洗浄装置の水回路の分解状態を示す斜視図である。図８は、同衛生洗浄装置の水回路の組立状態を示す斜視図である。
【００４２】
なお、図６に示す洗浄部５００は、本体２００に内蔵され、使用者の局部を洗浄する。
【００４３】
図６に示すように、洗浄部５００は、少なくとも洗浄水を噴出するノズル装置８００と、給水接続口５１０からノズル装置８００に洗浄水を供給する一連の洗浄水供給流路９００などから構成されている。
【００４４】
洗浄水供給流路９００には、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６、流調弁５１７が順次設置されている。そして、最終的に、洗浄水供給流路９００は、ノズル装置８００に接続される。
【００４５】
給水接続口５１０は、本体２００の右側下方に配置され、水道配管と接続される。ストレーナ５１１は、給水接続口５１０の内部に配置され、水道水に含まれるごみの流入を防止する。逆止弁５１２は、サブタンク６００内に貯溜された水が水道配管に逆流することを防止する。
【００４６】
定流量弁５１３は、洗浄水供給流路９００に流れる洗浄水の量を一定に保つ。止水電磁弁５１４は、洗浄水供給流路９００を電動で開閉する。そして、定流量弁５１３と止水電磁弁５１４およびリリーフ弁５１５は、図７に示すように、一体に構成されている。
【００４７】
サブタンク６００は、止水電磁弁５１４の下流に設けられ、大気開放口６０３を備えている。熱交換器７００は、洗浄水を瞬時に加熱する。バッファータンク７５０は、熱交換器７００で加熱された温水の温度を均一にする。
【００４８】
水ポンプ５１６は、バッファータンク７５０の下流側に接続されている。ノズル装置８００は、流調弁５１７を介して水ポンプ５１６と接続されている。そして、流調弁５１７のそれぞれのポートには、ノズル装置８００のお尻洗浄部８３１、ビデ洗浄部８３２、ノズルクリーニング部８３３などが接続されている。
【００４９】
また、図７および図８に示すように、洗浄部５００を構成する部材のうち、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６は、例えばＡＢＳなどの樹脂材料で成型されたシャーシ５０１に組み込まれ、一体的に構成されている。そして、シャーシ５０１に組み込まれた状態で、本体２００の後本体ケース２０１に組み付けられている。
【００５０】
ストレーナ５１１と逆止弁５１２は給水接続口５１０に一体に組み込まれ、定流量弁５１３とリリーフ弁５１５は止水電磁弁５１４に一体に組み込まれている。バッファータンク７５０は、熱交換器７００と一体に構成されている。
【００５１】
そして、給水接続口５１０と止水電磁弁５１４、止水電磁弁５１４とサブタンク６００およびサブタンク６００と熱交換器７００とは、接続チューブなどを介さず、相互の接続口をパッキンである、例えばＯリングを介して直接接続されている。また、これらの水回路を構成する部材はシャーシ５０１の所定の位置に設置固定されている。
【００５２】
上記構成を水回路に採用することにより、水密構造が向上するとともに、相互の部材の配置精度が向上する。特に、サブタンク６００と熱交換器７００の配置精度が向上するため、洗浄水の流量の制御精度が向上する。その結果、洗浄部５００の性能の向上と、流量の制御精度が向上する。
【００５３】
つぎに、上述した水ポンプ５１６の構成について、図７を参照しながら、図１４および図１５を用いて説明する。
【００５４】
図１４は、水ポンプの外観を示す斜視図である。図１５は、水ポンプの断面図である。
【００５５】
図１４および図１５に示すように、水ポンプ５１６は、例えば外形が略Ｌ字状（Ｌ字状を含む）の容積形ポンプであるピストンポンプで構成される。具体的には、水ポンプ５１６は、略円筒形（円筒形を含む）のモータ部５１６ａと、モータの回転運動を往復運動に変換するリンク機構部５１６ｂと、リンク機構部５１６ｂの往復運動で駆動されるピストン部５１６ｃで構成されている。そして、ピストン部５１６ｃの外面には、接続口として吸水口５１６ｄと吐出口５１６ｅが設けられている。
【００５６】
なお、本実施の形態の水ポンプ５１６の場合、駆動時において、往復運動を伴うリンク機構部５１６ｂとピストン部５１６ｃに比べ、回転運動のみであるモータ部５１６ａで発生する振動が少ない構成となっている。
【００５７】
具体的な水ポンプ５１６の動作は、まず、モータ部５１６ａを駆動すると、ピストン部５１６ｃが往復運動を開始する。そして、ピストン部５１６ｃの吸水口５１６ｄから洗浄水を吸引して、吐出口５１６ｅから洗浄水を吐出する。このとき、吐出口５１６ｅから吐出する洗浄水は、ピストン部５１６ｃの往復運動に伴い適度の脈動を伴った水流で吐出される。
【００５８】
さらに、上記構成の水ポンプ５１６の略円柱形（円柱形を含む）のモータ部５１６ａの外周は、弾性を備えた発泡樹脂製の緩衝部材（図示せず）で包囲されている。そして、シャーシ５０１の後部に設けられた略円筒形（円筒形を含む）の水ポンプ設置部５０１ａにモータ部５１６ａを挿入することにより、水ポンプ設置部５０１ａでモータ部５１６ａが支持される。このとき、リンク機構部５１６ｂとピストン部５１６ｃは、下方に垂れ下がるように懸架された状態で設置される。
【００５９】
なお、図７に示すように、水ポンプ設置部５０１ａは薄い肉厚で形成され、シャーシ５０１の底面から起立したリブ状の脚部５０１ｂの上部に形成されている。つまり、薄い肉厚で形成することにより、水ポンプ設置部５０１ａを構成する樹脂の弾性により水ポンプ５１６の振動を効果的に吸収することができる。
【００６０】
また、バッファータンク７５０が一体に形成された熱交換器７００の接続口である出湯口７１２と、水ポンプ５１６の接続口である吸水口５１６ｄとは、軟質樹脂製の接続チューブで接続されている。
【００６１】
上述したように、本実施の形態の水ポンプ５１６は、振動の少ないモータ部５１６ａを緩衝部材を介して、シャーシ５０１の薄い肉厚で形成された水ポンプ設置部５０１ａに設置する。一方、振動が多く発生するリンク機構部５１６ｂとピストン部５１６ｃとは、フリーな状態で懸架される。さらに、ピストン部５１６ｃなどは、バッファータンク７５０と軟質樹脂製の接続チューブ５０２（図８参照）を介して接続される。これにより、水ポンプ５１６の駆動時に発生する振動が、シャーシ５０１、他の部材や本体２００に伝わること抑制する。その結果、衛生洗浄装置の快適性と耐久性を向上することができる。
【００６２】
特に、水ポンプ５１６は、発泡樹脂製の緩衝部材と、水ポンプ設置部５０１ａを形成する弾性を備えた樹脂との２つの異なる材質を介して支持される。そのため、広い範囲の周波数の振動を吸収できる。これにより、本体２００への振動の伝達を、さらに効果的に抑制できる。
【００６３】
以下に、本実施の形態の衛生洗浄装置の洗浄部５００の基本的な制御について、図６を参照しながら説明する。
【００６４】
まず、図６に示すように、水道配管を流れる水道水が、洗浄水として給水接続口５１０から供給され、止水電磁弁５１４を開放することによりサブタンク６００へ洗浄水が供給される。このとき、洗浄水供給流路９００内を流れる洗浄水の流量は、定流量弁５１３により一定に維持される。なお、止水電磁弁５１４の駆動は、リモートコントローラ４００および操作部２１０の操作に基づいて、制御部１３０により制御される。
【００６５】
つぎに、サブタンク６００に貯溜された洗浄水は、水ポンプ５１６の駆動により、熱交換器７００に供給される。なお、水ポンプ５１６の駆動は、リモートコントローラ４００および操作部２１０の操作に基づいて、制御部１３０により制御される。
【００６６】
そして、制御部１３０は、水ポンプ５１６を駆動するとともに、熱交換器７００の平板状ヒータ７０２（図１３参照）への通電を開始して、洗浄水の加熱を開始する。このとき、制御部１３０は、入水温度センサ６３０と出湯温度センサ７３０の検知情報に基づいて、平板状ヒータ７０２への通電を制御する。これにより、洗浄水の温度を、操作部２１０の温水温度スイッチ２３１で設定された温度に維持する。
【００６７】
つぎに、熱交換器７００で加熱された洗浄水は、流調弁５１７に供給される。そして、制御部１３０は、操作部２１０およびリモートコントローラ４００の操作情報に基づいて、流調弁５１７を制御する。これにより、ノズル装置８００のお尻洗浄部８３１、ビデ洗浄部８３２、ノズルクリーニング部８３３のいずれかに洗浄水が供給される。その結果、お尻洗浄噴出口８３４、ビデ洗浄噴出口８３６、ノズルクリーニング噴出口８３８のいずれかの噴出口から洗浄水が噴出し、所定の洗浄が行われる。
【００６８】
以上のように、本実施の形態の衛生洗浄装置の洗浄部は制御され、所望の動作を実行する。
【００６９】
＜３＞サブタンクの構成
以下に、本実施の形態における衛生洗浄装置のサブタンクの構成について、図９から図１１を用いて説明する。
【００７０】
図９は、サブタンクの外観を示す斜視図である。図１０は、サブタンクの横方向の断面図である。図１１は、サブタンクの前後方向の断面図である。
【００７１】
まず、図９に示すように、サブタンク６００は、少なくとも、例えばＡＢＳなどの樹脂材料により成型されたタンク本体６１０と、水位検知センサ６２０と、入水温度センサ６３０などから構成されている。水位検知センサ６２０は、タンク本体６１０に貯溜された洗浄水の水位を検知する。入水温度センサ６３０は、例えばサーミスタなどで構成され、タンク本体６１０内に供給される洗浄水の温度を検知する。
【００７２】
タンク本体６１０は、タンクの前壁、両側壁、底面、天面を構成する前部タンク６１１と、タンクの後壁を構成する後部タンク６１２と、タンク本体６１０の天面に配置された大気開放部６１３などの３個の部材で構成されている。タンク本体６１０の全体的な形状は、前壁、後壁、両側壁、底面、天面からなる複数の平面で形成され、図１０に示すように平面視で見た場合の形状は、略四角形（四角形を含む）で形成されている。前部タンク６１１の前壁は、途中から後退する傾斜部を備える。つまり、図１１に示すように側面視で見た場合の形状においては、下部より上部が細くなった略台形形状（台形形状を含む）で形成されている。これにより、タンク本体６１０の上部の断面積が下部より小さい断面積となっている。
【００７３】
また、タンク本体６１０の一方の側壁下部には入水口６０１が、タンク本体６１０後壁下部には出水口６０２が設けられている。
【００７４】
さらに、タンク本体６１０の天面に配置された大気開放部６１３には、タンク本体６１０の内部と外部を連通する大気開放口６０３が設けられている。大気開放口６０３は、タンク本体６１０内に溜まった空気を外部に放出し、タンク本体６１０の内部圧力を、常時、大気圧に維持する。これにより、サブタンク６００の内部が、常時、大気圧に維持され、サブタンク６００の下流から水ポンプ５１６の吸水口５１６ｄまでの洗浄水供給流路９００も大気圧に維持される。そのため、水ポンプ５１６は、水圧変動の影響を受けずに吸水することができる。その結果、水ポンプ５１６は、安定したポンプ機能を発揮できる。
【００７５】
また、図１０に示すように、サブタンク６００内で大気開放部６１３の大気開放口６０３と連通する流路には、流路の断面積が大きいバッファ部６１３ａが形成されている。バッファ部６１３ａは、大気開放口６０３から気泡を伴って洗浄水が衝撃的に流出しようとした場合などに、洗浄水を、一旦貯溜する。これにより、大気開放口６０３から洗浄水が流出することを抑制する。
【００７６】
さらに、タンク本体６１０の内部には、仕切壁６１４が設けられている。仕切壁６１４は、タンク本体６１０の内部を入水槽６１５と貯溜槽６１６の２つの槽に分割している。そして、入水槽６１５の側面の底面近傍には入水口６０１が、貯溜槽６１６の後壁の底面近傍には出水口６０２が設けられている。
【００７７】
つまり、仕切壁６１４で入水槽６１５と貯溜槽６１６を形成することにより、入水口６０１から流入した洗浄水に空気が含まれている場合、空気は、入水槽６１５の上部より大気開放口６０３を通過して外部に放出される。そのため、貯溜槽６１６に空気を含まない洗浄水のみを流入させることができる。
【００７８】
また、タンク本体６１０の入水槽６１５の上方には、入水槽６１５の上面開口部６１５ａと大気開放部６１３の間に介在する障壁６１７が、タンク本体６１０の側壁より略水平方向（水平方向を含む）に突出して設けられている。障壁６１７は、入水槽６１５の上面開口部６１５ａの全面を覆う大きさを備えている。
【００７９】
また、入水槽６１５の内部には、複数の整流リブ６１８が、タンク本体６１０の側壁と仕切壁６１４に略水平方向（水平方向を含む）に交互に突出して形成されている。
【００８０】
以下に、サブタンク６００内の洗浄水の流れについて、説明する。
【００８１】
サブタンク６００の入水口６０１から流入した洗浄水は、まず、入水槽６１５の下部に流入する。そして、整流リブ６１８で流れの方向を変化させながら入水槽６１５内を上昇する。このとき、入水口６０１から流入する洗浄水の圧力が高い場合、あるいは大量の空気を含んで著しく流れが乱れている場合、整流リブ６１８は、流れを適度に整流化する。さらに、整流リブ６１８は、整流リブ６１８の下流側で発生する渦により洗浄水内に含まれる空気を分離する。
【００８２】
また、入水槽６１５内を上昇した空気が分離された洗浄水は、仕切壁６１４の上端を乗り越えて貯溜槽６１６に流入して貯溜される。このとき、入水口６０１から流入する洗浄水の圧力が高い場合、あるいは大量の空気を含んで著しく流れが乱れている場合でも、洗浄水は障壁６１７により上方への流れが抑制される。そのため、洗浄水が、大気開放部６１３に当たり、大気開放口６０３よりサブタンク６００の外部への、直接の流出が防止される。
【００８３】
上述したように、サブタンク６００の入水口６０１から流入した洗浄水は、入水槽６１５内を上昇する間に、整流リブ６１８などにより、洗浄水に含まれる空気が分離される。分離された空気は、大気開放口６０３よりタンク本体６１０外に放出される。これにより、貯溜槽６１６に空気を含まない洗浄水が貯溜され、サブタンク６００の出水口６０２より熱交換器７００に供給される。
【００８４】
なお、サブタンク６００より熱交換器７００に供給される洗浄水に空気が混入していた場合、熱交換器７００の内部で気泡が発生する。これにより、熱交換器７００の内部の温度が異常に上昇して、熱交換器７００が損傷する場合がある。そこで、本実施の形態のサブタンク６００は、内部に仕切壁６１４を設け、空気の混入を防止する。これにより、熱交換器７００の損傷を効果的に防止できる。
【００８５】
また、図１０および図１１に示すように、サブタンク６００は、内部にステンレス材料で形成された、共通の電極となるコモン電極６２１と、水位毎に設置された複数の水位電極６２２で構成される水位検知センサ６２０を備えている。なお、本実施の形態では、１個のコモン電極６２１と２個の水位電極６２２で構成した例で示している。
【００８６】
コモン電極６２１はタンク本体６１０の前壁下部の内面に配置され、水位電極６２２はタンク本体６１０の後壁の内面に配置されている。さらに、水位電極６２２は、上部に設けられた上部電極６２３と、下部に設けられた下部電極６２４で構成されている。このとき、コモン電極６２１は、水位電極６２２の下部電極６２４より低い位置で、かつ通常の使用状態においては、常に浸水した状態で配置されている。
【００８７】
つまり、コモン電極６２１と、水位電極６２２である上部電極６２３および下部電極６２４とを異なる面に設置することにより、タンク本体６１０の内面に付着した残水を、貯溜水として誤検知することを抑制できる。
【００８８】
ここで、水位電極６２２による洗浄水の水位の検知は、つぎのように行う。まず、コモン電極６２１と水位電極６２２との間に直流電流を印加する。そして、水位電極６２２が浸水しているか否かを、電圧の変化により検知する。これにより、洗浄水の水位を検知する。つまり、貯溜槽６１６内の水位が上昇すると、下部電極６２４および上部電極６２３が浸水する。このとき、コモン電極６２１と下部電極６２４および上部電極６２３間の電圧が低下する。これにより、制御部１３０は、電圧の低下から洗浄水の水位を検知する。
【００８９】
また、水位電極６２２の上部電極６２３は上限水位の検知に、下部電極６２４は下限水位の検知に使用される。そして、上部電極６２３は、大気開放口６０３より低い位置に設置されている。これにより、大気開放口６０３から洗浄水が流出することを防止できる。また、下部電極６２４は、熱交換器７００へ通流する出水口６０２より上方に設置されている。これにより、熱交換器７００に空気が流入することを防止できる。
【００９０】
また、制御部１３０は、コモン電極６２１と水位電極６２２との間に印加する直流電流の極性を周期的に反転させながら印加する構成となっている。これは、洗浄水を介してコモン電極６２１と水位電極６２２と間に直流電流を印加した場合に発生する電気分解の作用により、電極を形成する金属の酸化およびイオン化による溶出を防止するためである。つまり、直流電流を印加すると、水位電極６２２が短期間に劣化することがある。そこで、電流の極性を周期的に反転することにより、水位電極６２２の電気分解による劣化を抑制している。
【００９１】
なお、本実施の形態では、極性の反転の間隔は、衛生洗浄装置の電源として供給される交流電源に対応した時間設定としている。つまり、供給される交流電源が５０Ｈｚの場合は１／５０秒、供給される交流電源が６０Ｈｚの場合は１／６０秒としている。これにより、極性を反転するために、新たな制御回路の追加を不要にし、小型化、低コスト化を実現している。
【００９２】
上述したように、本実施の形態の衛生洗浄装置１００は、止水電磁弁５１４が開放されてサブタンク６００に洗浄水が供給される。そして、水位電極６２２で上限水位を検知すると、止水電磁弁５１４を閉止して給水を停止する。このとき、サブタンク６００内は満水状態となる。
【００９３】
さらに、サブタンク６００の満水状態から、通常の洗浄動作を実施すると水位が低下する。そして、水位電極６２２で下限水位が検知されると、止水電磁弁５１４を再び開放してサブタンク６００に洗浄水を供給する。これにより、水位電極６２２で上限水位が検知されるまで給水が継続される。
【００９４】
なお、通常、サブタンク６００に貯溜される洗浄水の最大量は、１００ｃｃである。そこで、本実施の形態のサブタンク６００の上限水位から下限水位までの水量を６５ｃｃに設定している。しかし、これは一例であり、これに限られないことはいうまでもない。
【００９５】
また、通常、洗浄に使用される洗浄水の流量は、最も強い洗浄力で洗浄した場合４５０ｃｃ／ｍｉｎで、最も弱い洗浄力洗浄した場合２６０ｃｃ／ｍｉｎに設定されている。そのため、洗浄水が上限水位から下限水位に到達するまでの時間は、最も強い洗浄力で洗浄した場合８．７秒間で、最も弱い洗浄力で洗浄した場合１５秒間となる。
【００９６】
なお、一般的に、使用者が局部の洗浄に要する時間は、３０秒以上である。そのため、最も弱い洗浄力で洗浄した場合でも１３０ｃｃの洗浄水を使用する。つまり、１回の洗浄動作において、最低１回は上限水位から下限水位への変化を水位電極６２２で検知することが可能となる。
【００９７】
そこで、制御部１３０は、上限水位から下限水位までの経過時間を計測し、計測した時間と上限水位から下限水位までの水量（６５ｃｃ）とを演算する。そして、洗浄水の流量を算出する。このとき、洗浄強さ毎に設定された流量と、算出された流量に差がある場合、制御部１３０は水ポンプ５１６の出力を調整して、洗浄水の流量を補正する。
【００９８】
なお、本実施の形態では、サブタンク６００の底面の形状が略四角形を例に説明したが、これに限られない。例えば、他の多角形状でもよく、サブタンク６００の周囲の部品との兼ね合いや設置場所の状況に応じて変形してもよい。
【００９９】
また、本実施の形態では、コモン電極６２１と水位電極６２２を対向する壁面である前壁と後壁に設置した例で説明したが、これに限られない。例えば、前壁と側壁などの隣接する壁面など、上記と異なる面に設置してもよい。さらに、コモン電極６２１を前壁に設置し、水位電極６２２を天面に設置してもよい。この場合、下部電極６２４と上部電極６２３の先端を、それぞれ下限水位、上限水位の位置になるように長さを変える。
【０１００】
また、本実施の形態では、水位電極６２２を上部電極６２３と下部電極６２４の２個で構成した例で説明したが、これに限られない。例えば、３個以上の水位電極６２２を配置するなど、水位検知の間隔を細分化して設けてもよい。これにより、水位検知と流量検知の精度をさらに向上できる。
【０１０１】
以上のように、本実施の形態のサブタンクが構成されている。
【０１０２】
＜４＞熱交換器の構成
以下に、本実施の形態における衛生洗浄装置の熱交換器の構成について、図１２および図１３を用いて説明する。
【０１０３】
図１２は、熱交換器の外観を示す斜視図である。図１３は、熱交換器の断面図である。
【０１０４】
なお、本実施の形態の熱交換器７００は、バッファータンク７５０が一体に形成され、熱交換器７００の上部にバッファータンク７５０が設置されている。
【０１０５】
まず、熱交換器７００は、正面視（図１３参照）で略長方形（長方形を含む）の平板状で形成されている。熱交換器７００は、少なくとも、例えばＡＢＳ樹脂にガラス繊維をコンパウンドした強化ＡＢＳ樹脂で成型されたケーシング７０１と、セラミック製の平板状ヒータ７０２と、出湯部材７０３などから構成されている。
【０１０６】
ケーシング７０１は、前面部を構成する前面部材７１０と、背面部を構成する背面部材７２０で構成されている。平板状ヒータ７０２は、前面部材７１０と背面部材７２０との間に形成される空間に設置される。また、加熱流路７１５は、前面部材７１０と平板状ヒータ７０２との対向部と、背面部材７２０と平板状ヒータ７０２との対向部との隙間で形成されている。以上のように構成された熱交換器７００は、加熱流路７１５を流れる洗浄水を平板状ヒータ７０２で瞬時に昇温させる。
【０１０７】
また、熱交換器７００は、前面部材７１０の前面下端の右側に接続口である入水口７１１を備え、前面部材７１０の右側面上端に設置された出湯部材７０３に接続口である出湯口７１２を備えている。
【０１０８】
さらに、図１３に示すように、図１２に示す入水口７１１に連なる入水流路７１３が、ケーシング７０１の下端部の略全幅に亘り設けられている。入水流路７１３の上面には全幅に亘り複数のスリット７１４が設けられ、入水流路７１３に流入した洗浄水がスリット７１４を通過して加熱流路７１５へ流入する構成となっている。なお、スリット７１４は、洗浄水を加熱流路７１５の全幅に亘り均等に流入させる機能を有する。
【０１０９】
また、加熱流路７１５の上端部には仕切リブ７１６が設けられ、仕切リブ７１６より上方がバッファータンク７５０となっている。仕切リブ７１６には、略全幅（全幅を含む）に亘り複数の通水孔７１７が設けられている。これにより、加熱流路７１５で加熱された洗浄水が、通水孔７１７を通過してバッファータンク７５０内に流入する。
【０１１０】
さらに、バッファータンク７５０内には、例えば断面形状が略半円形（半円形を含む）の突起７１８が、略全幅（全幅を含む）に亘り間隔をあけて設けられている。突起７１８は、バッファータンク７５０内を出湯口７１２に向かって流れる洗浄水の流れを乱す。これにより、洗浄水が混ざり合って洗浄水の温度むらが解消され、均一な温度の洗浄水が出湯口７１２より出湯される。
【０１１１】
出湯部材７０３には、出湯温度センサ７３０と、過昇温度センサ７３１の２個のサーミスタが設置されている。出湯温度センサ７３０は、洗浄水の出湯温度を検知する。過昇温度センサ７３１は、熱交換器７００の過昇温度を検知する。これにより、制御部１３０は、熱交換器７００から出湯する洗浄水の温度を制御する。
【０１１２】
＜５＞ノズル装置の構成
以下に、本実施の形態における衛生洗浄装置のノズル装置の構成について、図１６から図２８を用いて説明する。
【０１１３】
図１６は、本実施の形態におけるノズル装置の収納状態を示す斜視図である。図１７は、図１６に示す１７−１７線断面図である。図１８は、ノズル装置の収納状態を示す縦断面図である。図１９は、図１８に示すＢ部の詳細断面図である。図２０は、図１９に示す２０−２０線断面図である。図２１は、ノズル装置の収納状態を示す横断面図である。図２２は、図２１に示すＣ部の詳細断面図である。図２３は、ノズル装置のお尻洗浄状態を示す縦断面図である。図２４は、図２３に示すＤ部の詳細断面図である。図２５は、ノズル装置のビデ洗浄状態を示す縦断面図である。図２６は、図２５に示すＥ部の詳細断面図である。図２７は、ノズル装置のビデ洗浄状態を示すノズル部の横断面図である。図２８は、図２７に示すＧ部の詳細断面図である。
【０１１４】
図１６に示すように、ノズル装置８００は、少なくとも支持部８１０と、ノズル部８２０と、駆動部８６０と、流調弁５１７などで構成されている。支持部８１０は、例えばＰＯＭ（ポリオキシメチレン：ｐｏｌｙｏｘｙｍｅｔｈｙｌｅｎｅ）やＡＢＳなどの樹脂材料で成型した、側面視において略三角形（三角形を含む）の枠状で形成されている。ノズル部８２０は、支持部８１０に沿って進退移動する。駆動部８６０は、ノズル部８２０を駆動して進退移動させる。流調弁５１７は、ノズル部８２０への洗浄水の供給を切り替える。
【０１１５】
なお、以降のノズル装置の説明では、ノズル部の収納方向を後方とし、ノズル部の進出方向を前方とし、後方より前方に向かって右側を右方、左側を左方として、各構成要素の配置を説明する。
【０１１６】
支持部８１０は、略水平（水平を含む）な底辺部８１１に対して、後部より前部に向かって降下した傾斜部８１２と、底辺部８１１と傾斜部８１２の後端を接合する縦辺部８１３からなる枠状に形成されている。傾斜部８１２には、ノズル部８２０の進退移動を案内するガイドレール８１４と、駆動部８６０の可撓ラック８６１（図１７参照）を案内するラックガイド８１５（図１７参照）が略全長（全長を含む）に亘って形成されている。そして、傾斜部８１２の前端下方には、ノズル部８２０を包囲するように支持する略円筒形（円筒形）の抱持部８１６が一体に形成されている。
【０１１７】
また、図１７に示すように、ノズル部８２０を案内するガイドレール８１４は、断面が略Ｔ字状（Ｔ字状を含む）に形成されている。可撓ラック８６１を案内するラックガイド８１５は、断面視において、一方の側面が開放された略コの字状（コの字状を含む）を有し、可撓ラック８６１の上下面と一方の側面を規制して案内する構成を備えている。
【０１１８】
ラックガイド８１５は、傾斜部８１２から支持部８１０の後部の縦辺部８１３と底辺部８１１にも連続して形成されている。このとき、ラックガイド８１５の傾斜部８１２と縦辺部８１３、および縦辺部８１３と底辺部８１１とのコーナは、例えば円弧形状で接続されている。なお、縦辺部８１３と底辺部８１１に形成されたラックガイド８１５の断面形状は、略コの字状（コの字状を含む）で形成されている。一方、ラックガイド８１５の開放された側面は、傾斜部８１２では左側面が開放され、縦辺部８１３と底辺部８１１では反対の右側面が開放されている。そして、ラックガイド８１５の縦辺部８１３と底辺部８１１の開放面は、例えば別部材の支持部蓋などにより閉塞される。
【０１１９】
また、駆動部８６０は、ノズル部８２０に結合された可撓ラック８６１と、可撓ラック８６１と噛合するピニオンギア８６２と、ピニオンギア８６２を回転駆動する駆動モータ８６３で構成されている。駆動部８６０は、ノズル部８２０をガイドレール８１４に沿って進退移動させる。
【０１２０】
駆動モータ８６３は、例えばステッピングモータで構成され、パルス信号により回転角度が制御される。そして、駆動モータ８６３の回転により、ピニオンギア８６２を介して可撓ラック８６１が駆動される。
【０１２１】
支持部８１０の抱持部８１６の内周面とノズル部８２０の外周面との間には、間隙が設けられている。そして、ノズル部８２０から噴出した洗浄水が、間隙に流入してノズル部８２０外周面を洗浄するように構成されている。
【０１２２】
また、ノズル蓋８０１は、抱持部８１６の前方に開閉自在に設けられ、ノズル部８２０の進退により開閉する。そして、ノズル部８２０が収納されている状態でノズル蓋８０１を閉塞することにより、ノズル部８２０が便などで汚染されることを防止する。
【０１２３】
支持部８１０の底辺部８１１には、洗浄水供給部に接続する給水チューブ（図示せず）と支持部８１０から流調弁５１７に洗浄水を供給する接続チューブ８０２とを相互に接続する給水継手８１７が形成されている。
【０１２４】
図２１に示すように、ノズル部８２０は、少なくとも、例えばＡＢＳなどの樹脂材料で成型された棒状のノズル本体８３０と、ノズルカバー８４０と、連結部８５０などで構成されている。ノズルカバー８４０は、筒状で形成され、ノズル本体８３０の略全体（全体を含む）を覆う。連結部８５０は、ノズル本体８３０でノズルカバー８４０を牽引する。
【０１２５】
さらに、ノズル部８２０のノズル本体８３０は、図６に示すように、局部を洗浄するお尻洗浄部８３１と、女性の局部を洗浄するビデ洗浄部８３２と、ノズル部８２０をクリーニングするノズルクリーニング部８３３などを備えている。
【０１２６】
図２３および図２４に示すように、お尻洗浄部８３１は、ノズル本体８３０の先端部に上方に開口したお尻洗浄噴出口８３４と、ノズル本体８３０の後端よりお尻洗浄噴出口８３４に連通するお尻洗浄流路８３５で構成されている。そして、お尻洗浄流路８３５は、ノズル本体８３０の下部側に設置され、お尻洗浄噴出口８３４の下方で上方に向かって屈曲する屈曲部が設けられている。さらに、屈曲部には、洗浄水の流れを整流する整流板８３５ａが設置されている。これにより、お尻洗浄噴出口８３４から噴出した洗浄水は、ノズルカバー８４０の噴出開口８４４を通過して上方に向かって噴出される。
【０１２７】
また、図２５および図２６に示すように、ビデ洗浄部８３２は、お尻洗浄噴出口８３４の後方に配置されたビデ洗浄噴出口８３６と、ノズル本体８３０の後端よりビデ洗浄噴出口８３６に連通するビデ洗浄流路８３７で構成されている。そして、ビデ洗浄噴出口８３６から噴出した洗浄水は、ノズルカバー８４０の噴出開口８４４を通過して上方に向かって噴出される。
【０１２８】
また、ノズルクリーニング部８３３は、図２７に示すように、ノズル本体８３０の側面に配置されたノズルクリーニング噴出口８３８と、ノズル本体８３０の後端よりノズルクリーニング噴出口８３８に連通するノズルクリーニング流路８３９で構成されている。そして、ノズルクリーニング噴出口８３８から噴出した洗浄水は、ノズルカバー８４０の内部に噴出され、ノズルカバー８４０の排水口８４５からノズルカバー８４０の外部に放出される。なお、ノズルクリーニング噴出口８３８から噴出した洗浄水は、ノズル部８２０とその周辺の清掃に使用される。
【０１２９】
さらに、ノズル部８２０の前方は支持部８１０の抱持部８１６に挿入した状態で支持され、ノズル部８２０の後部はガイドレール８１４に懸架された状態で摺動自在に設置されている。そして、ノズル部８２０は、図１６に示すノズル部８２０を抱持部８１６より後方に収容された収納位置と、図２３に示すノズル部８２０が抱持部８１６より突出したお尻洗浄位置と、図２５に示すビデ洗浄位置との間を進退可能に構成されている。
【０１３０】
また、ノズルカバー８４０は、ノズルカバー本体８４１と連結部材８４２から構成されている。ノズルカバー本体８４１は、例えばステンレスの薄板を円筒状にして形成され、先端面は閉塞面で、後端面は開放面となっている。連結部材８４２は、例えばＡＢＳなどの樹脂材料で成型された略円筒状（円筒形を含む）で形成され、両側部にノズル本体８３０と係合する連結片８４３を備えている。
【０１３１】
また、連結部材８４２の後端右側には、ノズルカバー８４０の摺動範囲を規制するノズルカバーストッパ（図示せず）が一体に形成されている。そして、支持部８１０に形成された前ストッパ受部（図示せず）と後ストッパ受部（図示せず）に当接することにより、ノズルカバー８４０の摺動範囲が規制されるように構成されている。
【０１３２】
さらに、連結部材８４２の一部は、ノズルカバー本体８４１の後端の開口よりノズルカバー本体８４１内に挿入された状態で固定され一体化されている。
【０１３３】
また、ノズルカバー本体８４１の前方上面には、ノズル本体８３０のお尻洗浄噴出口８３４とビデ洗浄噴出口８３６が対向可能な噴出開口８４４が、１個設けられている。ノズルカバー本体８４１の前方下面には、ノズルカバー本体８４１内に流出した洗浄水を外部に排出する排水口８４５が設けられている。
【０１３４】
なお、ノズルカバー８４０の内径は、ノズル本体８３０の外径より僅かに大きい寸法を有する。これにより、ノズルカバー８４０にノズル本体８３０を挿入した状態で、ノズル本体８３０とノズルカバー８４０が互いにスムーズに摺動可能に構成されている。
【０１３５】
また、ノズル本体８３０の後端面には、流調弁５１７が設置されている。流調弁５１７はディスクタイプの弁本体５１７ａと、切り替え動作を駆動するステッピングモータ５１７ｂで構成されている。流調弁５１７は、お尻洗浄流路８３５と、ビデ洗浄流路８３７と、ノズルクリーニング流路８３９とを選択的に切り替えて、洗浄水を供給する。
【０１３６】
また、流調弁５１７の弁本体５１７ａの外面には、流調弁５１７に洗浄水を供給する給水口５１７ｃが設置され、給水口５１７ｃは支持部８１０の給水継手８１７と接続チューブ８０２で接合されて連通する。
【０１３７】
以下に、本実施の形態におけるノズルカバー８４０の連結部材８４２とノズル本体８３０の連結受部８５１で構成される連結部８５０について、図２２および図２８を用いて説明する。
【０１３８】
図２２および図２８に示すように、ノズル本体８３０の後端部の外周右側には、連結受部８５１が形成されている。連結受部８５１は、略Ｖ字型（Ｖ字型を含む）の、前方の前凹陥部８５１ａと後方の後凹陥部８５１ｂの溝が形成され、前後に間隔をあけて配置されている。なお、前凹陥部８５１ａと後凹陥部８５１ｂの間隔は、お尻洗浄噴出口８３４とビデ洗浄噴出口８３６の間隔と等しい寸法で設けられている。
【０１３９】
一方、ノズルカバー８４０の連結部材８４２は、略円筒状（円筒状を含む）の、例えばＡＢＳやＰＯＭなどの樹脂材料で成型され、後部両側部は後方に突出した連結片８４３を備えている。連結片８４３の後端部には、内方に突出した略Ｖ字形状（Ｖ字形状を含む）の連結突起８４３ａが形成されている。
【０１４０】
そして、ノズル本体８３０をノズルカバー８４０に挿入すると、弾性により、ノズルカバー８４０の連結部材８４２の連結突起８４３ａが、ノズル本体８３０の連結受部８５１に、常時、押し当てられる。このとき、連結突起８４３ａが前凹陥部８５１ａまたは後凹陥部８５１ｂに係合されると、ノズル本体８３０とノズルカバー８４０が連結された状態となる。これにより、ノズルカバー８４０は、ノズル本体８３０に牽引されて移動することが可能となる。
【０１４１】
なお、図２２に示すように、連結突起８４３ａが前凹陥部８５１ａに入り込んでいる状態では、図２６に示すように、ノズル本体８３０のビデ洗浄噴出口８３６とノズルカバー８４０の噴出開口８４４が対向した状態となる。一方、図２８に示すように、連結突起８４３ａが後凹陥部８５１ｂに入り込んでいる状態では、図１９および図２４に示すように、お尻洗浄噴出口８３４と噴出開口８４４が対向した状態となる。これにより、所定の噴出口から洗浄水を噴出させることができる。
【０１４２】
＜６＞便蓋の構成
以下に、本実施の形態における衛生洗浄装置の便蓋の構成について、図２９から図３２を用いて説明する。
【０１４３】
図２９は、便蓋の分解状態を上下反転した状態で示す斜視図である。図３０は、便蓋の組立状態を上下反転した状態で示す斜視図である。図３１は、図３０に示す３１−３１線断面図である。図３２は、図３０に示す３２−３２線断面図である。
【０１４４】
図２９に示すように、本実施の形態の便蓋３２０は、少なくとも便蓋本体３３０と、便蓋内面部材３４０と、断熱材３５０と、緩衝部材３５１などから構成されている。このとき、便蓋本体３３０および便蓋内面部材３４０は、例えばポリプロピレン樹脂（ＰＰ）で一体成型により形成されている。断熱材３５０は、例えば発泡スチロール製の材料で形成されている。緩衝部材３５１は、弾性を備えた軟質樹脂材料である、例えば熱可塑性エラストマー樹脂（ＴＰＥ）などで成型されている。
【０１４５】
そして、便蓋本体３３０は、略半楕円形状（半楕円形状を含む）の上面部３３１と、上面部３３１の外周の前部と両側部に一体に形成された側面部３３２とを備えている。便蓋本体３３０の上面部３３１の平面形状は、図１に示す便座３００の外形と略相似形（相似形を含む）で形成されている。そして、便蓋３２０の閉塞状態において、便座３００の上面の全てを覆う。また、便蓋本体３３０の側面部３３２は、便座３００の側面の一部を覆う形状で形成されている。
【０１４６】
便蓋本体３３０の上面部３３１の前方内面の２箇所には、便蓋内面部材３４０と緩衝部材３５１を保持する保持部３３３が形成されている。
【０１４７】
また、側面部３３２の両後端部には、本体２００に設けられた回動軸に嵌合する筒状の軸受部３３４が一体に形成されている。そして、樹脂材料の弾性を利用して、側面部３３２を押し広げることにより、側面部３３２の軸受部３３４が、本体２００の回動軸に着脱できる構成となっている。
【０１４８】
さらに、それぞれの軸受部３３４と上面部３３１との接合部には、便蓋内面部材３４０の後端を係合する係合部３３４ａが一体に形成されている。
【０１４９】
また、便蓋内面部材３４０は、少なくとも平面部３４１と、側面リブ３４２と、補強リブ３４３などが一体に形成されている。平面部３４１は、便蓋本体３３０の上面部３３１と略相似形（相似形を含む）で形成されている。側面リブ３４２は、平面部３４１の両側部に直角方向に切り起こして形成されている。補強リブ３４３は、側面リブ３４２の外面に設けられ、側面リブ３４２の強度を補強する。
【０１５０】
さらに、図２９に示す状態において、平面部３４１の前部および両側部の外周は上方に向かって曲面状に形成され、平面部３４１の先端に向かって肉厚が薄い接合辺３４７が形成されている。なお、接合辺３４７を備えることにより、便蓋本体３３０と便蓋内面部材３４０を組み立てた場合、外周の密着性を向上させることができる。
【０１５１】
便蓋内面部材３４０の平面部３４１は、前方２箇所に、便蓋本体３３０に形成された保持部３３３と結合する結合部３４４が一体に形成されている。結合部３４４の中央には、ねじ孔が開口して設けられている。そして、便蓋本体３３０と便蓋内面部材３４０とは、ねじ３２２で固定されるように構成されている。さらに、便蓋内面部材３４０の後端部の両側部には、便蓋本体３３０に形成された係合部３３４ａに係合させる係合片３４５が形成されている。
【０１５２】
また、図２９で示すように、図３０に示す便蓋本体３３０と対向する面を下方とした状態で、便蓋内面部材３４０の平面部３４１の両側部には、上方に凹陥した凹陥部３４６が形成されている。凹陥部３４６は、便蓋内面部材３４０の平面部３４１の後端より前端近傍まで形成されている。
【０１５３】
また、図３１に示すように、通常、平面部３４１の部分で、便蓋本体３３０と便蓋内面部材３４０とは、例えば１ｍｍ以下の小さい間隙３２１が形成されるように構成されている。しかし、成型部材の形状のバラツキなどにより、部分的に当接する部分がある場合もある。また、凹陥部３４６の部分では、便蓋本体３３０と便蓋内面部材３４０の間に、最大で約３ｃｍの間隙３２１が形成されるように構成されている。
【０１５４】
断熱材３５０は、平面視が略長方形（長方形を含む）の板状で形成されている。具体的には、断熱材３５０は、便蓋内面部材３４０の凹陥部３４６に収容可能な形状に成型されている。これにより、便蓋本体３３０と便蓋内面部材３４０で形成される間隙３２１内部に断熱材３５０が収容される。
【０１５５】
また、図３２に示すように、緩衝部材３５１は、便蓋本体３３０の保持部３３３に嵌入される脚部３５１ａと、便座３００の上面に当接する当接部３５１ｂが一体に成型されて構成されている。緩衝部材３５１は、便蓋３２０と便座３００との当接時の衝撃を緩和する。緩衝部材３５１の脚部３５１ａは、便蓋本体３３０の保持部３３３に圧入することにより、容易に抜けないように構成されている。そのため、当接部３５１ｂは、脚部３５１ａより大きい寸法で形成されている。
【０１５６】
以下に、上記構成の便蓋３２０の組立について、具体的に説明する。
【０１５７】
まず、便蓋本体３３０の内面に、２個の断熱材３５０を所定位置に配置する。その状態で、便蓋内面部材３４０の係合片３４５を、便蓋本体３３０の係合部３３４ａに係合させる。これにより、断熱材３５０を内装した状態で便蓋内面部材３４０の後部が、便蓋本体３３０に係合される。
【０１５８】
つぎに、図３２に示すように、便蓋内面部材３４０の結合部３４４を便蓋本体３３０の保持部３３３に係合し、ねじ３２２で固定する。これにより、便蓋内面部材３４０と便蓋本体３３０が、ねじ３２２を介して固定される。
【０１５９】
つぎに、ねじ３２２で固定された上から、緩衝部材３５１を保持部３３３に圧入する。これにより、緩衝部材３５１が保持部３３３に固定される。
【０１６０】
つまり、図３１および図３２に示すように、便蓋本体３３０と便蓋内面部材３４０と緩衝部材３５１とを組み立てた状態では、便蓋内面部材３４０の接合辺３４７と便蓋本体３３０の内面とは、ほぼ密接した状態となる。これにより、便蓋本体３３０と便蓋内面部材３４０との間に形成される間隙３２１内部の空気の流動が抑制される。その結果、便蓋３２０の断熱効果が向上する。
【０１６１】
上述したように、本実施の形態の衛生洗浄装置によれば、サブタンク内に仕切壁を設け、入水槽と貯溜槽を形成し、サブタンクの天面に大気開放口を設ける。これにより、入水槽の底部近傍の入水口から流入した空気を含む洗浄水は、入水槽内を上昇する間に少なくとも一部の空気が分離される。分離された空気は、大気開放口よりサブタンク外に放出される。一方、空気の含有量が低減した洗浄水は、仕切壁を越えて貯溜槽に流入する。そして、貯溜槽の底部近傍の出水口からは空気含有量が低減された洗浄水が出水される。そのため、熱交換器には空気含有量の少ない洗浄水が供給される。これにより、熱交換器内で発生する気泡を低減して、熱交換器の熱効率を向上できる。その結果、熱交換器の損傷の低減と、耐久性の向上を図ることができる。
【０１６２】
また、本実施の形態の衛生洗浄装置によれば、水回路に、流量を検知する専用の流量センサを別途設けることなく、サブタンクに設けた水位検知センサにより水位の変化を検知して、流量を演算する。これにより、水回路の構成を簡素化できるとともに、コストの低減を図ることができる。
【０１６３】
また、本実施の形態の衛生洗浄装置によれば、サブタンクに設けた水位検知センサのコモン電極と、水位電極とを異なる面に設置する。これにより、タンク本体の内面に付着した残水を貯溜水として誤検知することを抑制できる。その結果、水位検知センサの検知精度と信頼性を向上することができる。
【０１６４】
また、本実施の形態の衛生洗浄装置によれば、水ポンプの振動の少ないモータ部を、弾性を備えた発泡樹脂製の緩衝部材を介してシャーシの水ポンプ設置部に設置する。そして、バッファータンクは接続チューブを介して接続する。これにより、水ポンプの駆動時に発生する振動が、シャーシ、他の部材や本体に伝わることを抑制できる。
【０１６５】
（実施の形態２）
以下に、本実施の形態２における衛生洗浄装置の構成について、図３３から図３６を用いて説明する。
【０１６６】
図３３は、本発明の実施の形態２におけるサブタンクの外観を示す斜視図である。図３４は、同実施の形態におけるサブタンクの横方向の断面図である。図３５は、同実施の形態におけるサブタンクの前後方向の断面図である。図３６は、同実施の形態におけるサブタンクの満水状態における天面部の模式図である。
【０１６７】
すなわち、本実施の形態の衛生洗浄装置は、サブタンクの構成が実施の形態１とは異なる。なお、衛生洗浄装置の他の構成は、実施の形態１と同様の構成であるので、詳細な説明は省略する。また、実施の形態１と同一の構成要素には、同一符号を付して、説明する。
【０１６８】
図３３に示すように、本実施の形態の衛生洗浄装置のサブタンク６５０は、少なくともタンク本体６６０と、水位検知センサ６２０と、入水温度センサ６３０などからで構成されている。タンク本体６６０は、例えばＡＢＳなどの樹脂材料の成型により形成されている。水位検知センサ６２０は、タンク本体６６０に貯溜された洗浄水の水位を検知する。入水温度センサ６３０は、例えばサーミスタなどから構成され、タンク本体６６０内に供給される洗浄水の温度を検知する。
【０１６９】
タンク本体６６０は、タンクの前壁、両側壁、底面、天面を構成する前部タンク６６１と、タンクの後壁を構成する後部タンク６６２などの２個の部材で構成されている。タンク本体６６０の全体的な形状は、実施の形態１と同様に前壁、後壁、両側壁、底面、天面からなる複数の平面で形成され、図３４に示すように平面視で見た場合の形状は、略四角形（四角形を含む）で形成されている。前部タンク６１１の前壁は、途中から後退する傾斜部を備える。つまり、図３５に示すように側面視で見た場合の形状は、下部より上部が細くなった略台形形状（台形形状を含む）で形成されている。これにより、タンク本体６６０の上部の断面積が下部より小さい断面積となっている。
【０１７０】
また、タンク本体６６０の一方の側壁下部には入水口６０１が、タンク本体６６０後壁下部には出水口６０２が設けられている。
【０１７１】
さらに、タンク本体６６０の側壁上部には、タンク本体６６０の内部と外部とを連通する大気開放口６０３が設けられている。大気開放口６０３は、タンク本体６６０内に溜まった空気を外部に放出し、タンク本体６６０の内部圧力を、常時、大気圧に維持する。これにより、サブタンク６５０の内部が、常時、大気圧に維持され、サブタンク６５０の下流から水ポンプ５１６の吸水口５１６ｄまでの洗浄水供給流路９００（図６参照）も大気圧に維持される。そのため、水ポンプ５１６は、水圧変動の影響を受けずに吸水することができる。その結果、水ポンプ５１６は、安定したポンプ機能を発揮できる。
【０１７２】
また、図３４に示すように、タンク本体６６０の入水口６０１の内部には、少なくとも仕切壁６６３と、整流部６６５が設けられている。仕切壁６６３は、入水口６０１に対向する位置に、底面より起立して形成されている。整流部６６５は、仕切壁６６３を覆うように側壁から略Ｌ字状（Ｌ字状を含む）に延出した整流リブ６６４で構成されている。
【０１７３】
さらに、整流部６６５は、流入槽６６５ａと流出路６６５ｂとから構成され、タンク本体６６０の側壁の全幅に亘って形成されている。流入槽６６５ａは、側壁と仕切壁６６３とで形成されている。流出路６６５ｂは、仕切壁６６３と整流リブ６６４とで形成されている。
【０１７４】
以下に、サブタンク６５０内の洗浄水の流れについて、説明する。
【０１７５】
サブタンク６００の入水口６０１から流入した洗浄水は、まず、整流部６６５の流入槽６６５ａの下部に流入する。流入した洗浄水は、流入槽６６５ａ内で拡散上昇する間に流速が低減される。流速が低減された洗浄水は、仕切壁６６３の上端を乗り越えて流出路６６５ｂに流入する。そして、洗浄水は、整流リブ６６４の下端である流出路６６５ｂの下端からタンク本体６６０内に下向きに流入する。
【０１７６】
このとき、入水口６０１から流入する洗浄水の圧力が高い場合、あるいは大量の空気を含んで流れが乱れている場合、洗浄水は整流部６６５内で流れが整流化される。そして、タンク本体６６０内には整流化された洗浄水が流入して貯溜される。これにより、洗浄水に含まれる空気は貯溜中に分離され、大気開放口６０３よりタンク本体６６０外に放出される。
【０１７７】
上記のように、洗浄水は、サブタンク６５０内を流れる。
【０１７８】
また、図３３から図３６に示すように、サブタンク６５０は、内部にステンレス材料で形成された、共通の電極となるコモン電極６７１と、水位毎に設置された複数の水位電極６７２で構成される水位検知センサ６２０を備えている。なお、本実施の形態でも本実施の形態１と同様に、１個のコモン電極６７１と２個の水位電極６７２で構成した例で示している。
【０１７９】
コモン電極６７１はタンク本体６６０の前壁下部の内面に配置され、水位電極６７２はタンク本体６６０の天面の内面に配置されている。このとき、水位電極６７２は、天面より垂下して設置される、上部電極６７３と下部電極６７４から構成されている。上部電極６７３は、電極の長さが短く、先端が高い位置に配置される。一方、下部電極６７４は、電極の長さが長く、先端が低い位置に配置される。そして、コモン電極６７１は、水位電極６７２の下部電極６７４の先端より低い位置で、かつ通常の使用状態においては、常に浸水した状態で配置されている。
【０１８０】
また、図３４および図３６に示すように、タンク本体６６０の天面には、２枚の垂下するリブ６６６により、上方に凹陥した２個の凹陥部６６７が形成されている。凹陥部６６７は、タンク本体６６０内の水位がリブ６６６の下端より上昇した場合、水面６５１により密閉され、空気が貯溜された空間が形成される。これにより、サブタンク６５０の満水状態においても、凹陥部６６７の少なくとも一部には洗浄水で浸水されない密閉空間６６８が形成される。
【０１８１】
このとき、上部電極６７３と下部電極６７４は、それぞれ凹陥部６６７の最も高い位置である天面に設置されている。そして、上部電極６７３と下部電極６７４の基部は、水位が上昇した場合に形成される密閉空間６６８内に配置されている。
【０１８２】
つまり、上部電極６７３と下部電極６７４を密閉空間６６８内に配置することにより、上部電極６７３と下部電極６７４の基部は、常に洗浄水と直接接触しない構成となる。そのため、上部電極６７３と下部電極６７４の先端が水面６５１より離間した状態においては、上部電極６７３と下部電極６７４の基部とタンク本体６６０の内面に付着した残水とは、確実に離間した状態となる。その結果、タンク本体６６０の内面に付着した残水を、貯溜水として誤検知することを防止できる。
【０１８３】
また、本実施の形態では、タンク本体６６０の入水口６０１の内方に整流部６６５を設けている。そのため、入水口６０１より流入した洗浄水が飛び跳ねて水位電極６７２に付着することによる水位の誤検知を防止することができる。さらに、タンク本体６６０内の水位上昇時において、水面に波が発生することを抑制することができる。その結果、水位検知の精度をさらに向上させることができる。
【０１８４】
なお、本実施の形態では、タンク本体の天面に凹陥部を２個設け、２個の密閉空間が形成される構成とし、上部電極と下部電極を個別の密閉空間に設置した構成を例に説明したが、これに限られない。例えば、タンク本体の天面に１個の密閉空間を形成し、上部電極と下部電極を同一の密閉空間内に設置してもよい。
【０１８５】
また、本実施の形態では、コモン電極をタンク本体の前壁に設置し、２個の水位電極のみを天面の密閉空間に設置した構成を例に説明したが、これに限られない。例えば、全ての電極を天面の密閉空間に設置する構成としてもよい。この構成の場合、残水による誤検知をより確実に防止できる。
【０１８６】
以上で説明したように、本発明の衛生洗浄装置は、洗浄水を噴出するノズル装置と、ノズル装置に洗浄水を供給する洗浄水供給流路と、制御部とを含む。洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクとを備える。サブタンクは、上面に配置された大気開放口と、仕切壁により分割形成された入水槽と、貯溜槽と、入水槽の底部近傍に配置された入水口と、貯溜槽の底部近傍に配置された出水口とを備える。そして、サブタンクの入水口から入水槽に流入した洗浄水は、仕切壁の上端を越えて貯溜槽に流入する構成としてもよい。
【０１８７】
これにより、サブタンクの入水槽の底部近傍の入水口から流入した空気を含む洗浄水は、入水槽内を上昇する間に少なくとも一部の空気が分離される。分離された空気は大気開放口よりサブタンク外に放出され、洗浄水の空気含有量が低減される。空気の含有量が低減した洗浄水は、仕切壁を越えて貯溜槽に流入する。そして、貯溜槽の底部近傍の出水口からは空気含有量が低減された洗浄水が流出され、熱交換器に供給される。つまり、熱交換器には空気含有量が低減された洗浄水が供給される。これにより、熱交換器内での気泡の発生を低減して、熱交換器の熱効率を向上できる。その結果、熱交換器の損傷の低減と、耐久性の向上が図れる衛生洗浄装置を実現できる。
【０１８８】
また、本発明の衛生洗浄装置のサブタンクは、入水槽の上面開口部と大気開放口の間に、サブタンクの側壁より突出した障壁を備えてもよい。
【０１８９】
これにより、入水口から流入する洗浄水の圧力が高い場合、あるいは大量の空気を含んで著しく流れが乱れている場合でも、洗浄水は障壁により上方への流れを抑制できる。その結果、洗浄水が大気開放口よりサブタンクの外部に流出することを未然に防止できる。
【０１９０】
また、本発明の衛生洗浄装置は、入水槽に、仕切壁と、仕切壁に対向するサブタンクの側壁より、交互に突出した複数の整流リブを備えてもよい。
【０１９１】
これにより、入水口から流入する洗浄水の圧力が高い場合、あるいは大量の空気を含んで著しく流れが乱れている場合でも、整流リブにより、流れが適度に整流化される。その結果、整流リブの下流側で発生する渦により洗浄水内に含まれる空気が分離され、洗浄水に含まれる空気を減少できる。
【０１９２】
また、本発明の衛生洗浄装置のサブタンクは、サブタンク内に貯溜した洗浄水の水位を検知する水位検知センサを、さらに備える。水位検知センサは、サブタンクの内面にコモン電極と複数の水位電極とを備える。制御部は、コモン電極と水位電極間に直流電流を印加し、電圧の変化により水位を検知する構成を有する。そして、水位検知センサのコモン電極と、水位電極とは異なる面に配置してもよい。
【０１９３】
これにより、サブタンクの内面に付着した残水を貯溜水として誤検知することを抑制できる。つまり、水位検知センサの検知精度と信頼性が向上する。これにより、サブタンクからの溢水を確実に防止できる。その結果、安全性と信頼性の高い衛生洗浄装置を実現できる。
【０１９４】
また、本発明の衛生洗浄装置は、コモン電極と、水位電極とは対向する面に配置してもよい。
【０１９５】
これにより、コモン電極と水位電極とは最大限隔離された位置に配置される。そのため、サブタンクの内面に付着した残水による誤検知を、より確実に抑制できる。その結果、水位検知センサの検知精度と信頼性を向上することができる。
【０１９６】
また、本発明の衛生洗浄装置のサブタンクは、天面の一部と貯溜する洗浄水の水面とで形成され、洗浄水が浸水しない密閉空間を、さらに備え、水位電極は、密閉空間を形成する天面に配置してもよい。
【０１９７】
これにより、水位電極とサブタンクの内面に付着した残水とを、確実に離間した状態にできる。そのため、サブタンクの内面に付着した残水を、貯溜水として誤検知することを防止できる。その結果、水位検知センサの検知精度と信頼性をより一層向上することができる。
【０１９８】
また、本発明の衛生洗浄装置は、制御部が、コモン電極と水位電極間に、直流電流の極性を周期的に反転して印加してもよい。
【０１９９】
これにより、電気分解の作用により電極を形成する金属の酸化および溶出を抑制して、電極の劣化を抑制できる。その結果、長期間に亘り、信頼性に優れる衛生洗浄装置を実現できる。
【産業上の利用可能性】
【０２００】
本発明は、衛生洗浄装置のサブタンクの洗浄水に含まれる空気を効果的に低減することができる。そのため、水道配管に直結して使用する他の給水機器などの用途にも適用できる。
【符号の説明】
【０２０１】
１    水道配管
２    分岐水栓
３，５１１    ストレーナ
４，５１２    逆止弁
５，５１３    定流量弁
６，５１４    止水電磁弁
７    流量センサ
８，１０    温度センサ
９，７００    熱交換器
１１    ポンプ
１２    切替弁
１３    ノズル部
１００    衛生洗浄装置
１１０    便器
１２０    脱臭装置
１３０    制御部
２００    本体
２０１    後本体ケース
２１０    操作部
２１１    赤外線受信部
２２０    操作スイッチ
２２１    お尻洗浄スイッチ
２２２    ノズル掃除スイッチ
２３０    設定スイッチ
２３１    温水温度スイッチ
２３２    便座温度スイッチ
２３３    ８時間切りスイッチ
２３４    節電スイッチ
２３５    便蓋自動開閉スイッチ
２４０    表示灯
３００    便座
３２０    便蓋
３２１    間隙
３３０    便蓋本体
３３１    上面部
３３２    側面部
３３３    保持部
３３４    軸受部
３３４ａ    係合部
３４０    便蓋内面部材
３４１    平面部
３４２    側面リブ
３４３    補強リブ
３４４    結合部
３４５    係合片
３４６，６６７    凹陥部
３４７    接合辺
３５０    断熱材
３５１    緩衝部材
３５１ａ    脚部
３５１ｂ    当接部
３６０    便座便蓋回動機構
４００    リモートコントローラ
４０１    リモコン本体
４０２    送信部
４１０    お尻洗浄スイッチ
４１１    ビデ洗浄スイッチ
４１２    停止スイッチ
４１３    ムーブ洗浄スイッチ
４１４    リズム洗浄スイッチ
４１５    洗浄強さスイッチ
４１６    洗浄位置スイッチ
４１７    ノズル除菌スイッチ
４１８    便蓋スイッチ
４１９    便座スイッチ
４２１    強さ表示灯
４２２    位置表示灯
４５０    人体検知センサ
５００    洗浄部
５０１    シャーシ
５０１ａ    水ポンプ設置部
５０１ｂ    脚部
５０２    接続チューブ
５１０    給水接続口
５１５    リリーフ弁
５１６    水ポンプ
５１６ａ    モータ部
５１６ｂ    リンク機構部
５１６ｃ    ピストン部
５１６ｄ    吸水口
５１６ｅ    吐出口
５１７    流調弁
５１７ａ    弁本体
５１７ｂ    ステッピングモータ
５１７ｃ    給水口
６００，６５０    サブタンク
６０１    入水口
６０２    出水口
６０３    大気開放口
６１０，６６０    タンク本体
６１１，６６１    前部タンク
６１２，６６２    後部タンク
６１３    大気開放部
６１３ａ    バッファ部
６１４，６６３    仕切壁
６１５    入水槽
６１５ａ    上面開口部
６１６    貯溜槽
６１７    障壁
６１８，６６４    整流リブ
６２０    水位検知センサ
６２１，６７１    コモン電極
６２２，６７２    水位電極
６２３，６７３    上部電極
６２４，６７４    下部電極
６３０    入水温度センサ
６５１    水面
６６５    整流部
６６５ａ    流入槽
６６５ｂ    流出路
６６６    リブ
６６８    密閉空間
７０１    ケーシング
７０２    平板状ヒータ
７０３    出湯部材
７１０    前面部材
７１１    入水口
７１２    出湯口
７１３    入水流路
７１４    スリット
７１５    加熱流路
７１６    仕切リブ
７１７    通水孔
７１８    突起
７２０    背面部材
７３０    出湯温度センサ
７３１    過昇温度センサ
７５０    バッファータンク
８００    ノズル装置
８０１    ノズル蓋
８０２    接続チューブ
８１０    支持部
８１１    底辺部
８１２    傾斜部
８１３    縦辺部
８１４    ガイドレール
８１５    ラックガイド
８１６    抱持部
８１７    給水継手
８２０    ノズル部
８３０    ノズル本体
８３１    お尻洗浄部
８３２    ビデ洗浄部
８３３    ノズルクリーニング部
８３４    お尻洗浄噴出口
８３５    お尻洗浄流路
８３５ａ    整流板
８３６    ビデ洗浄噴出口
８３７    ビデ洗浄流路
８３８    ノズルクリーニング噴出口
８３９    ノズルクリーニング流路
８４０    ノズルカバー
８４１    ノズルカバー本体
８４２    連結部材
８４３    連結片
８４３ａ    連結突起
８４４    噴出開口
８４５    排水口
８５０    連結部
８５１    連結受部
８５１ａ    前凹陥部
８５１ｂ    後凹陥部
８６０    駆動部
８６１    可撓ラック
８６２    ピニオンギア
８６３    駆動モータ
９００    洗浄水供給流路
【手続補正２】
【補正対象書類名】特許請求の範囲
【補正対象項目名】全文
【補正方法】変更
【補正の内容】
【特許請求の範囲】
【請求項１】
洗浄水を噴出するノズル装置と、
前記ノズル装置に前記洗浄水を供給する洗浄水供給流路と、
制御部と、を含み、
前記洗浄水供給流路は、
前記ノズル装置に前記洗浄水を送給する水ポンプと、
前記水ポンプの上流側にあって前記洗浄水を加熱する熱交換器と、
前記熱交換器の上流側にあって前記洗浄水供給流路の一部を大気に開放するサブタンクと、を備え、
前記サブタンクは、
上面に配置された大気開放口と、
仕切壁により分割形成された入水槽と、貯溜槽と、
前記入水槽の底部近傍に配置された入水口と、
前記貯溜槽の底部近傍に配置された出水口と、を備え、
前記入水口から前記入水槽に流入した前記洗浄水は、前記仕切壁の上端を越えて前記貯溜槽に流入する構成を有する衛生洗浄装置。
【請求項２】
前記サブタンクは、
前記入水槽の上面開口部と前記大気開放口の間に、前記サブタンクの側壁より突出した障壁を備える請求項１に記載の衛生洗浄装置。
【請求項３】
前記入水槽は、
前記仕切壁と、前記仕切壁に対向する前記サブタンクの側壁より、交互に突出した複数の整流リブを備える請求項１に記載の衛生洗浄装置。
【請求項４】
前記サブタンクは、前記サブタンク内に貯溜した前記洗浄水の水位を検知する水位検知センサを、さらに備え、
前記水位検知センサは、前記サブタンクの内面にコモン電極と水位電極とを備え、
前記制御部は、前記コモン電極と前記水位電極間に直流電流を印加し、電圧の変化により水位を検知する構成とし、
前記コモン電極と、前記水位電極とは異なる面に配置される請求項１に記載の衛生洗浄装置。
【請求項５】
前記コモン電極と、前記水位電極とは対向する面に配置される請求項４に記載の衛生洗浄装置。
【請求項６】
前記サブタンクは、満水状態において、前記サブタンクの天面の一部と、前記サブタンク内に貯溜する前記洗浄水の水面とで形成される前記洗浄水が浸水しない密閉空間を、さらに備え、
前記水位電極は、前記密閉空間を形成する前記天面に配置される請求項４に記載の衛生洗浄装置。
【請求項７】
前記制御部は、前記コモン電極と前記水位電極間に、直流電流の極性を周期的に反転して印加する請求項４に記載の衛生洗浄装置。
【手続補正３】
【補正対象書類名】図面
【補正対象項目名】全図
【補正方法】変更
【補正の内容】
【図４】
2015037199.tif 000040
【図５】
2015037199.tif 000041
【図６】
2015037199.tif 000042
【図７】
2015037199.tif 000043
【図８】
2015037199.tif 000044
【図９】
2015037199.tif 000045
【図１０】
2015037199.tif 000046
【図１１】
2015037199.tif 000047
【図１２】
2015037199.tif 000048
【図１３】
2015037199.tif 000049
【図１４】
2015037199.tif 000050
【図１５】
2015037199.tif 000051
【図１６】
2015037199.tif 000052
【図１７】
2015037199.tif 000053
【図１８】
2015037199.tif 000054
【図１９】
2015037199.tif 000055
【図２０】
2015037199.tif 000056
【図２１】
2015037199.tif 000057
【図２２】
2015037199.tif 000058
【図２３】
2015037199.tif 000059
【図２４】
2015037199.tif 000060
【図２５】
2015037199.tif 000061
【図２６】
2015037199.tif 000062
【図２９】
2015037199.tif 000063
【図３０】
2015037199.tif 000064
【図３３】
2015037199.tif 000065
【図３４】
2015037199.tif 000066
【図３５】
2015037199.tif 000067
【図３６】
2015037199.tif 000068
【図３７】
2015037199.tif 000069
【図１】
2015037199.tif 000070
【図２】
2015037199.tif 000071
【図３】
2015037199.tif 000072
【図２７】
2015037199.tif 000073
【図２８】
2015037199.tif 000074
【図３１】
2015037199.tif 000075
【図３２】
2015037199.tif 000076
【国際調査報告】
2015037199.tif 000077
2015037199.tif 000078
2015037199.tif 000079
2015037199.tif 000080